(57)【要約】【課題】通信回線を介して商品を販売すること。【解決手段】商品の紹介記事を掲載する情報誌の出版者によって管理される装置であって、情報誌に掲載されている商品の紹介記事に関するデータを処理する出版者装置１６０と、情報誌に掲載された商品を入荷して販売する商店の関係者によって管理される装置であって、商店で販売されている商品に関するデータを処理する商店装置１４０と、情報誌に掲載する商品の情報を出版者に提供すると共に、出版者に情報を提供した商品を商店に出荷する事業者によって管理される装置であって、出版者に情報を提供し、商店に出荷した商品に関するデータを処理する提供者装置１７０と、商店の３次元空間に模した仮想空間の画像をリアルタイムに生成し、仮想空間の中で商品を販売する電子商店を提供する電子商店装置１１０とを備える。【選択図】図１
2014139842.tif 000002
【特許請求の範囲】
【請求項１】
通信回線を介して商品を販売する電子商店システムであって、
商品の紹介記事を掲載する情報誌の出版者によって管理される装置であって、前記情報誌に掲載されている商品の紹介記事に関するデータを処理する出版者装置と、
前記情報誌に掲載された商品を入荷して販売する商店の関係者によって管理される装置であって、前記商店で販売されている商品に関するデータを処理する商店装置と、
前記情報誌に掲載する商品の情報を前記出版者に提供すると共に、前記出版者に情報を提供した商品を前記商店に出荷する事業者によって管理される装置であって、前記出版者に情報を提供し、前記商店に出荷した商品に関するデータを処理する提供者装置と、
前記商店の３次元空間に模した仮想空間の画像をリアルタイムに生成し、前記仮想空間の中で前記商品を販売する電子商店を提供する電子商店装置と
を備える電子商店システム。
【請求項２】
前記電子商店装置は、
前記商品を陳列するために前記商店に配置されている陳列手段を表現した３次元グラフィックスと、当該３次元グラフィックスが前記仮想空間の中で配置されるべき位置を示す位置情報とを対応付けて格納する陳列手段情報格納部と、
前記陳列手段情報格納部に格納されている位置情報に従って、前記陳列手段情報格納部に格納されている３次元グラフィックスを配置することによって、前記仮想空間の画像をリアルタイムに生成する仮想空間生成部と、
前記仮想空間生成部が生成した仮想空間の画像に関するデータを、前記電子商店にアクセスしている顧客によって使用されている顧客装置に送信する画像データ送信部と
を有する請求項１に記載の電子商店システム。
【請求項３】
前記商店装置は、入荷した前記商品を撮影する撮影手段を具備すると共に、
前記商店に陳列された商品の陳列位置を示す位置情報を含む、前記商品に関するデータの入力を受け付ける商品データ入力受付部と、
前記撮影手段によって撮影された商品の画像データの入力を受け付ける画像データ入力受付部と、
前記商品データ入力受付部が入力を受け付けた商品に関するデータと、前記画像データ入力受付部が入力を受け付けた画像データとを、前記電子商店装置に送信する商品データ送信部と
を有し、
前記電子商店装置は、
前記商品に関するデータと、前記画像データとを、前記商店装置から受信する商品データ受信部と、
前記商品データ受信部が受信した画像データを基にして、当該画像データの商品を表現した３次元グラフィックスを生成する商品グラフィックス生成部と
を更に有し、
前記電子商店装置の前記仮想空間生成部は、前記商品データ受信部が受信した商品に関するデータに含まれている商品の陳列位置を示す位置情報に従って、前記商品グラフィックス生成部が生成した３次元グラフィックスを更に配置することによって、前記仮想空間の画像をリアルタイムに生成する
請求項２に記載の電子商店システム。
【請求項４】
前記電子商店装置は、
前記仮想空間における視野を変更する操作に関するデータを、前記顧客装置から受信する視野操作データ受信部
を更に有し、
前記電子商店装置の前記仮想空間生成部は、前記視野操作データ受信部が受信したデータによって示される視野の変更操作に従って、前記顧客装置の表示手段に表示されている前記仮想空間の視野が変更されるよう、前記仮想空間の画像をリアルタイムに生成する
請求項２又は３に記載の電子商店システム。
【請求項５】
前記提供者装置は、
前記情報誌に掲載する商品の情報に関するデータを、前記出版者装置に送信する商品情報データ送信部
を有し、
前記出版者装置は、
前記商品の情報に関するデータを、前記提供者装置から受信する商品情報データ受信部と、
前記商品情報データ受信部が受信したデータによって示される商品の情報を基に編集され、前記情報誌に掲載された商品の紹介記事に関するデータを、前記電子商店装置に送信する紹介記事データ送信部と
を有し、
前記電子商店装置は、
前記商品の紹介記事に関するデータを、前記出版者装置から受信する紹介記事データ受信部と、
前記仮想空間における商品の３次元グラフィックスを選択する操作に関するデータを、前記顧客装置から受信する選択操作データ受信部と、
前記紹介記事データ受信部が受信したデータによって示される商品の紹介記事のうち、前記選択操作データ受信部が受信したデータによって示される選択操作された対象の商品の紹介記事の情報を含む、前記商品に関するデータを、前記顧客装置に送信する商品データ送信部と
を更に有する請求項４に記載の電子商店システム。
【請求項６】
前記出版者装置の紹介記事データ送信部は、前記商品の紹介記事に関するデータを、前記商店装置に更に送信し、
前記商店装置は、情報を印刷する印刷手段を更に具備すると共に、
前記商品の紹介記事に関するデータを、前記出版者装置から受信する紹介記事データ受信部と、
当該装置の前記紹介記事データ受信部が受信したデータによって示される商品の紹介記事を含む、ＰＯＰ広告に関するデータを生成するＰＯＰ広告データ生成部と、
前記ＰＯＰ広告データ生成部が生成したデータを、前記印刷手段に出力するＰＯＰ広告データ出力部と
を更に有する請求項５に記載の電子商店システム。
【請求項７】
前記電子商店装置は、
前記電子商店で販売されている商品を購入する操作に関するデータを、前記顧客装置から受信する購入操作データ受信部と、
前記購入操作データ受信部が受信したデータによって示される購入操作された対象の商品の販売処理を行う販売処理部と
を更に有する請求項４乃至６のいずれかに記載の電子商店システム。
【請求項８】
前記電子商店装置は、
前記販売処理部が販売処理した対象の商品の情報と、当該商品を購入した顧客の情報とを含む、販売処理した対象の商品に関するデータを、前記商店装置に送信する販売商品データ送信部
を更に有し、
前記商店装置は、前記商店の関係者に対して情報を出力する出力手段を具備すると共に、
前記電子商店で販売処理された対象の商品の情報と、当該商品を購入した顧客の情報とを含む、前記電子商店で販売処理された対象の商品に関するデータを、前記電子商店装置から受信する販売商品データ受信部と、
前記販売商品データ受信部が受信したデータを、当該装置の前記出力手段に出力する販売商品データ出力部と
を更に有する請求項７に記載の電子商店システム。
【請求項９】
前記商店端末の商品データ入力受付部は、前記商品に関連する催事が企画されている場合、当該催事の情報を更に含む、前記商品に関するデータの入力を受け付け、
前記電子商店装置の商品データ送信部は、前記商品データ受信部が受信したデータに含まれている商品に関連する催事の情報を更に含む、前記商品に関するデータを、前記顧客装置に送信する
請求項５乃至８のいずれかに記載の電子商店システム。
【請求項１０】
前記電子商店装置の前記販売商品データ送信部は、前記販売処理部が販売処理した対象の商品の販売数の情報を更に含む、販売処理した対象の商品に関するデータを、前記商店装置に送信し、
前記商店装置は、
前記商店で販売している商品の情報と、当該商品の在庫数の情報とを対応付けて格納している商品情報格納部と、
前記商店に入荷された商品の入荷数に関するデータの入力を受け付ける入荷数データ入力受付部と、
前記商店で販売された商品の販売数に関するデータの入力を受け付ける販売数データ入力受付部と、
前記入荷数データ入力受付部が入力を受け付けたデータによって示される商品の入荷数、前記販売数データ入力受付部が入力を受け付けたデータによって示される商品の販売数、又は前記販売商品データ受信部が受信したデータに含まれている商品の販売数に基づいて、前記商品情報格納部に格納されている商品の在庫数の情報を更新する在庫数更新部と
を更に有する請求項１乃至９のいずれかに記載の電子商店システム。
【請求項１１】
前記商店装置は、
当該装置の前記在庫数更新部が更新した後の商品の在庫数に関するデータを、前記電子商店装置に送信する在庫数データ送信部
を更に有し、
前記電子商店装置は、
前記電子商店で販売している商品の情報と、当該商品の在庫数の情報とを対応付けて格納している商品情報格納部と、
商品の在庫数に関するデータを、前記商店装置から受信する在庫数データ受信部と、
前記在庫数データ受信部が受信したデータによって示される商品の在庫数と一致するよう、当該装置の前記商品情報格納部に格納されている商品の在庫数の情報を更新する在庫数更新部と
を更に有する請求項１０に記載の電子商店システム。
【請求項１２】
前記商店装置は、
前記販売数データ入力受付部が入力を受け付けたデータを、前記提供者装置に送信する販売数データ送信部
を更に有し、
前記提供者装置は、商品を前記商店に出荷する事業者に対して情報を出力する出力手段を具備すると共に、
前記商品の販売数に関するデータを、前記商店装置から受信する販売数データ受信部と、
前記販売数データ受信部が受信したデータによって示される商品の販売数を含む、当該商品の情報に関するデータを、当該装置の前記出力手段に出力する商品データ出力部と
を更に有する請求項１０又は１１に記載の電子商店システム。
【請求項１３】
前記電子商店装置は、
前記販売処理部が販売処理した対象の商品の販売数に関するデータを、前記提供者装置に送信する販売数データ送信部
を更に有し、
前記提供者装置の在庫数データ受信部は、商品の販売数に関するデータを、前記電子商店装置からも更に受信する
請求項１２に記載の電子商店システム。
【請求項１４】
前記商店装置は、
前記顧客を採寸して得られた当該顧客の身体の各部分の寸法の情報を含む、前記顧客に関するデータの入力を受け付ける顧客データ入力受付部と、
前記顧客データ入力受付部が入力を受け付けたデータを、前記電子商店装置に送信する顧客データ送信部と
を更に有し、
前記商店装置の商品データ入力受付部は、前記商品が身体の各部分の寸法に合わせて着用されるべき商品である場合、当該商品を着用し得る身体の各部分の寸法の許容値の情報を更に含む、前記商品に関するデータの入力を受け付け、
前記電子商店装置は、
前記顧客に関するデータを、前記商店装置から受信する顧客データ受信部と、
前記電子商店にアクセスしてきた顧客に対して認証処理を行う認証処理部と、
前記顧客データ受信部が受信したデータのうち前記認証処理部が認証した顧客に関するデータによって示される顧客の身体の各部分の寸法と、前記商品データ受信部が受信した商品に関するデータに含まれている前記商品を着用し得る身体の各部分の寸法の許容値とに基づいて、前記顧客が着用し得る商品を特定する商品特定部と
を更に有し、
前記電子商店装置の前記仮想空間生成部は、前記商品グラフィックス生成部が生成した３次元グラフィックスを配置するにあたり、前記商品特定部が特定した商品を表現した３次元グラフィックスを、前記顧客が着用し得る商品であるということが分かるように配置することによって、前記仮想空間の画像をリアルタイムに生成する
請求項３乃至１３のいずれかに記載の電子商店システム。
【発明の詳細な説明】
【技術分野】
【０００１】
本発明は、電子商店システムに関する。特に本発明は、通信回線を介して商品を販売する電子商店システムに関する。
【背景技術】
【０００２】
近年の情報誌にあっては、娯楽性や趣味性の高い商品を紹介するライフスタイル誌が数多く出版されている。一般に、ライフスタイル誌では、誌面に掲載している商品について、商品名や価格、商品の紹介記事等と共に、その商品を販売している商店の住所や電話番号、電子商店のＵＲＬ（Ｕｎｉｆｏｒｍ  Ｒｅｓｏｕｒｃｅ  Ｌｏｃａｔｏｒ）等が記載されている。
【０００３】
消費者は、ライフスタイル誌に掲載されている商品を、商店で購入しようとする場合、その商品の紹介記事等と共に記載されている商店の電話番号に電話をかけて問い合わせたり、同じく記載されている商店の住所を頼りにして商店へ出かけたりすることになる。また、消費者は、ライフスタイル誌に掲載されている商品を、電子商店で商品を購入しようとする場合、その商品の紹介記事と共に記載されている電子商店のＵＲＬを頼りにして電子商店にアクセスすることになる。
【０００４】
商店では、商品を手に取って見ることができるため、商品の質感等を十分に確認した上で購入することができる。その一方、商店には、ライフスタイル誌で紹介されているような商品が全て置いてある訳ではない。そのため、消費者は、ライフスタイル誌で紹介されている複数の商品を比較したい場合、各商品が置かれているそれぞれ別の商店に足を運ばなければならない。
【０００５】
一方、電子商店では、商品を紹介している写真が粗雑なことが多く、商品の質感等を十分に確認することができないまま購入しなければならない。また、上記の商店と同様に、電子商店には、ライフスタイル誌で紹介されているような商品を全て販売している訳ではない。そのため、消費者は、ライフスタイル誌で紹介されている複数の商品を比較したい場合、各商品を販売しているそれぞれ別の電子商店にアクセスしなければならない。
【０００６】
複数の電子商店に関する技術としては、インターネット上で運営されている多数の電子商店の商品情報を横断検索して検索依頼人に通知する商品検索サーバが知られている（例えば、特許文献１参照。）。この商品検索サーバは、各電子商店サーバが展示しているＷｅｂページの所在とそのＷｅｂページの商品記述構造とを対応付けして記憶している。そして、この商品検索サーバは、検索依頼人コンピュータと通信し、希望に応じてクエリー記入用紙の画面構成データを送達するとともに、そこに記入されたクエリー内容を受領して検索依頼人のメールアドレスと対応付けしてクエリー記憶部に格納する。そして、商品検索サーバは、各電子商店サーバが展示しているＷｅｂページを商品記述構造に基づいて調査し、そのページの所定位置に記載されている所定の商品関連情報がクエリー内容に一致している場合、そのＷｅｂページの所在とこのページより取得した適宜な商品関連情報とをメール本文に記載した定型の電子メールを作成し、この電子メールを該当のクエリー内容に対応するメールアドレスに宛てて送付する。
【先行技術文献】
【特許文献】
【０００７】
【特許文献１】特開２００２−０１５１１３号公報
【発明の概要】
【発明が解決しようとする課題】
【０００８】
特許文献１に記載の商品検索サーバによれば、消費者は、複数の電子商店に個別にアクセスする手間を省くことができる。しかしながら、消費者が得る商品情報は、各電子商店で販売されている商品の粗雑な写真を中心とした情報の中から、検索キーワードと一致する情報を単に収集したものである。そのため、消費者は、各商品の質感等を十分に確認することができないだけでなく、ライフスタイル誌で紹介されている情報のように購買欲を刺激するような価値のある情報を得ることは難しい。
【課題を解決するための手段】
【０００９】
上記課題を解決するために、本発明の第１の形態によると、通信回線を介して商品を販売する電子商店システムであって、商品の紹介記事を掲載する情報誌の出版者によって管理される装置であって、情報誌に掲載されている商品の紹介記事に関するデータを処理する出版者装置と、情報誌に掲載された商品を入荷して販売する商店の関係者によって管理される装置であって、商店で販売されている商品に関するデータを処理する商店装置と、情報誌に掲載する商品の情報を出版者に提供すると共に、出版者に情報を提供した商品を商店に出荷する事業者によって管理される装置であって、出版者に情報を提供し、商店に出荷した商品に関するデータを処理する提供者装置と、商店の３次元空間に模した仮想空間の画像をリアルタイムに生成し、仮想空間の中で商品を販売する電子商店を提供する電子商店装置とを備える。
【００１０】
電子商店装置は、商品を陳列するために商店に配置されている陳列手段を表現した３次元グラフィックスと、当該３次元グラフィックスが仮想空間の中で配置されるべき位置を示す位置情報とを対応付けて格納する陳列手段情報格納部と、陳列手段情報格納部に格納されている位置情報に従って、陳列手段情報格納部に格納されている３次元グラフィックスを配置することによって、仮想空間の画像をリアルタイムに生成する仮想空間生成部と、仮想空間生成部が生成した仮想空間の画像に関するデータを、電子商店にアクセスしている顧客によって使用されている顧客装置に送信する画像データ送信部とを有してよい。
【００１１】
商店装置は、入荷した商品を撮影する撮影手段を具備すると共に、商店に陳列された商品の陳列位置を示す位置情報を含む、商品に関するデータの入力を受け付ける商品データ入力受付部と、撮影手段によって撮影された商品の画像データの入力を受け付ける画像データ入力受付部と、商品データ入力受付部が入力を受け付けた商品に関するデータと、画像データ入力受付部が入力を受け付けた画像データとを、電子商店装置に送信する商品データ送信部とを有し、電子商店装置は、商品に関するデータと、画像データとを、商店装置から受信する商品データ受信部と、商品データ受信部が受信した画像データを基にして、当該画像データの商品を表現した３次元グラフィックスを生成する商品グラフィックス生成部とを更に有し、電子商店装置の仮想空間生成部は、商品データ受信部が受信した商品に関するデータに含まれている商品の陳列位置を示す位置情報に従って、商品グラフィックス生成部が生成した３次元グラフィックスを更に配置することによって、仮想空間の画像をリアルタイムに生成してよい。
【００１２】
電子商店装置は、仮想空間における視野を変更する操作に関するデータを、顧客装置から受信する視野操作データ受信部を更に有し、電子商店装置の仮想空間生成部は、視野操作データ受信部が受信したデータによって示される視野の変更操作に従って、顧客装置の表示手段に表示されている仮想空間の視野が変更されるよう、仮想空間の画像をリアルタイムに生成してよい。
【００１３】
提供者装置は、情報誌に掲載する商品の情報に関するデータを、出版者装置に送信する商品情報データ送信部を有し、出版者装置は、商品の情報に関するデータを、提供者装置から受信する商品情報データ受信部と、商品情報データ受信部が受信したデータによって示される商品の情報を基に編集され、情報誌に掲載された商品の紹介記事に関するデータを、電子商店装置に送信する紹介記事データ送信部とを有し、電子商店装置は、商品の紹介記事に関するデータを、出版者装置から受信する紹介記事データ受信部と、仮想空間における商品の３次元グラフィックスを選択する操作に関するデータを、顧客装置から受信する選択操作データ受信部と、紹介記事データ受信部が受信したデータによって示される商品の紹介記事のうち、選択操作データ受信部が受信したデータによって示される選択操作された対象の商品の紹介記事の情報を含む、商品に関するデータを、顧客装置に送信する商品データ送信部とを更に有してよい。
【００１４】
出版者装置の紹介記事データ送信部は、商品の紹介記事に関するデータを、商店装置に更に送信し、商店装置は、情報を印刷する印刷手段を更に具備すると共に、商品の紹介記事に関するデータを、出版者装置から受信する紹介記事データ受信部と、当該装置の紹介記事データ受信部が受信したデータによって示される商品の紹介記事を含む、ＰＯＰ広告に関するデータを生成するＰＯＰ広告データ生成部と、ＰＯＰ広告データ生成部が生成したデータを、印刷手段に出力するＰＯＰ広告データ出力部とを更に有してよい。
【００１５】
電子商店装置は、電子商店で販売されている商品を購入する操作に関するデータを、顧客装置から受信する購入操作データ受信部と、購入操作データ受信部が受信したデータによって示される購入操作された対象の商品の販売処理を行う販売処理部とを更に有してよい。
【００１６】
電子商店装置は、販売処理部が販売処理した対象の商品の情報と、当該商品を購入した顧客の情報とを含む、販売処理した対象の商品に関するデータを、商店装置に送信する販売商品データ送信部を更に有し、商店装置は、商店の関係者に対して情報を出力する出力手段を具備すると共に、電子商店で販売処理された対象の商品の情報と、当該商品を購入した顧客の情報とを含む、電子商店で販売処理された対象の商品に関するデータを、電子商店装置から受信する販売商品データ受信部と、販売商品データ受信部が受信したデータを、当該装置の出力手段に出力する販売商品データ出力部とを更に有してよい。
【００１７】
商店端末の商品データ入力受付部は、商品に関連する催事が企画されている場合、当該催事の情報を更に含む、商品に関するデータの入力を受け付け、電子商店装置の商品データ送信部は、商品データ受信部が受信したデータに含まれている商品に関連する催事の情報を更に含む、商品に関するデータを、顧客装置に送信してよい。
【００１８】
電子商店装置の販売商品データ送信部は、販売処理部が販売処理した対象の商品の販売数の情報を更に含む、販売処理した対象の商品に関するデータを、商店装置に送信し、商店装置は、商店で販売している商品の情報と、当該商品の在庫数の情報とを対応付けて格納している商品情報格納部と、商店に入荷された商品の入荷数に関するデータの入力を受け付ける入荷数データ入力受付部と、商店で販売された商品の販売数に関するデータの入力を受け付ける販売数データ入力受付部と、入荷数データ入力受付部が入力を受け付けたデータによって示される商品の入荷数、販売数データ入力受付部が入力を受け付けたデータによって示される商品の販売数、又は販売商品データ受信部が受信したデータに含まれている商品の販売数に基づいて、商品情報格納部に格納されている商品の在庫数の情報を更新する在庫数更新部とを更に有してよい。
【００１９】
商店装置は、当該装置の在庫数更新部が更新した後の商品の在庫数に関するデータを、電子商店装置に送信する在庫数データ送信部を更に有し、電子商店装置は、電子商店で販売している商品の情報と、当該商品の在庫数の情報とを対応付けて格納している商品情報格納部と、商品の在庫数に関するデータを、商店装置から受信する在庫数データ受信部と、在庫数データ受信部が受信したデータによって示される商品の在庫数と一致するよう、当該装置の商品情報格納部に格納されている商品の在庫数の情報を更新する在庫数更新部とを更に有してよい。
【００２０】
商店装置は、販売数データ入力受付部が入力を受け付けたデータを、提供者装置に送信する販売数データ送信部を更に有し、提供者装置は、商品を商店に出荷する事業者に対して情報を出力する出力手段を具備すると共に、商品の販売数に関するデータを、商店装置から受信する販売数データ受信部と、販売数データ受信部が受信したデータによって示される商品の販売数を含む、当該商品の情報に関するデータを、当該装置の出力手段に出力する商品データ出力部とを更に有してよい。
【００２１】
電子商店装置は、販売処理部が販売処理した対象の商品の販売数に関するデータを、提供者装置に送信する販売数データ送信部を更に有し、提供者装置の在庫数データ受信部は、商品の販売数に関するデータを、電子商店装置からも更に受信してよい。
【００２２】
商店装置は、顧客を採寸して得られた当該顧客の身体の各部分の寸法の情報を含む、顧客に関するデータの入力を受け付ける顧客データ入力受付部と、顧客データ入力受付部が入力を受け付けたデータを、電子商店装置に送信する顧客データ送信部とを更に有し、商店装置の商品データ入力受付部は、商品が身体の各部分の寸法に合わせて着用されるべき商品である場合、当該商品を着用し得る身体の各部分の寸法の許容値の情報を更に含む、商品に関するデータの入力を受け付け、電子商店装置は、顧客に関するデータを、商店装置から受信する顧客データ受信部と、電子商店にアクセスしてきた顧客に対して認証処理を行う認証処理部と、顧客データ受信部が受信したデータのうち認証処理部が認証した顧客に関するデータによって示される顧客の身体の各部分の寸法と、商品データ受信部が受信した商品に関するデータに含まれている商品を着用し得る身体の各部分の寸法の許容値とに基づいて、顧客が着用し得る商品を特定する商品特定部とを更に有し、電子商店装置の仮想空間生成部は、商品グラフィックス生成部が生成した３次元グラフィックスを配置するにあたり、商品特定部が特定した商品を表現した３次元グラフィックスを、顧客が着用し得る商品であるということが分かるように配置することによって、仮想空間の画像をリアルタイムに生成してよい。
【００２３】
なお、上記の発明の概要は、本発明の必要な特徴の全てを列挙したものではなく、これらの特徴群のサブコンビネーションもまた、発明となり得る。
【発明の効果】
【００２４】
以上の説明から明らかなように、この発明によれば、情報誌に掲載された商品を入荷して販売する現実の商店の３次元空間に模した仮想空間をリアルタイムに生成し、その仮想空間の中で商品を販売することにしたので、質感等が３次元で表現された商品を、消費者の購買欲を刺激するような価値のある情報と共に提供することができる。
【図面の簡単な説明】
【００２５】
【図１】一実施形態に係る電子商店システム１００の利用環境の一例を示す図である。
【図２】電子商店サーバ１１０のブロック構成の一例を示す図である。
【図３】商店端末１４０のブロック構成の一例を示す図である。
【図４】出版者端末１６０のブロック構成の一例を示す図である。
【図５】提供者端末１７０ａのブロック構成の一例を示す図である。
【図６】電子商店サーバ１１０、商店端末１４０、出版者端末１６０、提供者端末１７０、及び顧客端末１９０の動作シーケンスの一例を示す図である。
【図７】電子商店サーバ１１０、商店端末１４０、出版者端末１６０、提供者端末１７０、及び顧客端末１９０の動作シーケンスの一例を示す図である。
【図８】電子商店サーバ１１０、商店端末１４０、出版者端末１６０、提供者端末１７０、及び顧客端末１９０の動作シーケンスの一例を示す図である。
【図９】電子商店サーバ１１０、商店端末１４０、出版者端末１６０、提供者端末１７０、及び顧客端末１９０の動作シーケンスの一例を示す図である。
【図１０】電子商店サーバ１１０、商店端末１４０、出版者端末１６０、提供者端末１７０、及び顧客端末１９０の動作シーケンスの一例を示す図である。
【図１１】電子商店サーバ１１０の陳列手段情報格納部１１１に格納されている情報の一例をテーブル形式で示す図である。
【図１２】電子商店サーバ１１０の商品情報格納部１２３に格納されている情報の一例をテーブル形式で示す図である。
【図１３】電子商店サーバ１１０の顧客情報格納部１３０に格納されている情報の一例をテーブル形式で示す図である。
【図１４】顧客端末１４０の商品情報格納部１４９に格納されている情報の一例をテーブル形式で示す図である。
【図１５】顧客端末１４０の顧客情報格納部１５７に格納されている情報の一例をテーブル形式で示す図である。
【図１６】出版者端末１６０の紹介記事情報格納部１６５に格納されている情報の一例をテーブル形式で示す図である。
【図１７】電子商店サーバ１１０、商店端末１４０、出版者端末１６０、及び提供者端末１７０のそれぞれのハードウェア構成の一例を示す図である。
【発明を実施するための形態】
【００２６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２７】
図１は、一実施形態に係る電子商店システム１００の利用環境の一例を示す。電子商店システム１００は、通信回線を介して商品を販売するシステムである。電子商店システム１００における電子商店は、商店の３次元空間に模した仮想空間の中で、提供者から入荷した商品を販売するＷｅｂサイトである。商店は、情報誌に掲載された商品を入荷して販売する店である。情報誌は、商品の紹介記事を掲載する出版物である。提供者は、情報誌に掲載する商品の情報を情報誌の出版者に提供すると共に、出版者に情報を提供した商品を商店に出荷する事業者である。具体的には、提供者は、商品の製造業者、商品の卸売業者、及び上記の商店とは異なる商店等である。
【００２８】
電子商店システム１００は、電子商店サーバ１１０、商店端末１４０、出版者端末１６０、複数の提供者端末１７０ａ、ｂ、ｃ、・・・（以下、提供者端末１７０と総称する。）、複数の顧客端末１９０ａ、ｂ、ｃ、・・・（以下、顧客端末１９０と総称する。）及び通信回線２１０を備える。
【００２９】
なお、通信回線２１０は、インターネット等のコンピュータネットワーク、通信事業者のコアネットワーク、及び種々のローカルネットワークを含む。商店端末１４０、出版者端末１６０、提供者端末１７０、及び顧客端末１９０は、携帯電話機、及びＰＤＡ（Ｐｅｒｓｏｎａｌ  Ｄｉｇｉｔａｌ  Ａｓｓｉｓｔａｎｔｓ）等の携帯情報端末、並びにパーソナルコンピュータを含む。
【００３０】
電子商店サーバ１１０は、商店の３次元空間に模した仮想空間の画像をリアルタイムに生成し、仮想空間の中で商品を販売する電子商店を提供するコンピュータである。具体的には、電子商店サーバ１１０は、商店端末１４０、出版者端末１６０、提供者端末１７０、及び顧客端末１９０と通信回線２１０を介して通信接続される。なお、電子商店サーバ１１０は、この発明における「電子商店装置」の一例であってよい。
【００３１】
商店端末１４０は、情報誌に掲載された商品を入荷して販売する商店の関係者によって管理されるコンピュータであって、商店で販売されている商品に関するデータを処理する。具体的には、商店端末１４０は、電子商店サーバ１１０、出版者端末１６０、及び提供者端末１７０と通信回線２１０を介して通信接続される。なお、商店端末１４０は、この発明における「商店装置」の一例であってよい。
【００３２】
出版者端末１６０は、商品の紹介記事を掲載する情報誌の出版者によって管理されるコンピュータであって、情報誌に掲載されている商品の紹介記事に関するデータを処理する。具体的には、出版者端末１６０は、電子商店サーバ１１０、商店端末１４０、及び提供者端末１７０と通信回線２１０を介して接続される。なお、出版者端末１６０は、この発明における「出版者装置」の一例であってよい。
【００３３】
提供者端末１７０は、情報誌に掲載する商品の情報を出版者に提供すると共に、出版者に情報を提供した商品を商店に出荷する事業者によって管理されるコンピュータであって、出版者に情報を提供し、商店に出荷した商品に関するデータを処理する。具体的には、提供者端末１７０は、電子商店サーバ１１０、商店端末１４０、及び出版者端末１６０と通信回線２１０を介して接続される。なお、提供者端末１７０は、この発明における「提供者装置」の一例であってよい。
【００３４】
顧客端末１９０は、電子商店にアクセスする顧客によって使用されるコンピュータである。具体的には、顧客端末１９０は、電子商店サーバ１１０と通信回線２１０を介して接続される。なお、顧客端末１９０は、この発明における「顧客装置」の一例であってよい。
【００３５】
このように、電子商店システム１００では、現実の商店の３次元空間に模した仮想空間の画像がリアルタイムに生成され、仮想空間の中で商品を販売する電子商店が提供される。なお、現実の商店と電子商店で販売される商品は、情報誌に紹介記事が掲載された商品である。また、現実の商店と電子商店で販売される商品は、情報誌の出版者に商品の情報を提供した提供者から入荷した商品である。
【００３６】
電子商店システム１００では、電子商店サーバ１１０は、商品を陳列するために商店に配置されている陳列手段を表現した３次元グラフィックスと、その３次元グラフィックスが仮想空間の中で配置されるべき位置を示す位置情報とを対応付けて外部記憶装置に記憶している。そして、電子商店サーバ１１０は、外部記憶装置に記憶されている位置情報に従って、外部記憶装置に記憶されている３次元グラフィックスを配置することによって、仮想空間の画像をリアルタイムに生成する。そして、電子商店サーバ１１０は、仮想空間の画像に関するデータを、電子商店にアクセスしている顧客によって使用されている顧客端末１９０に送信する。
【００３７】
このように、電子商店システム１００では、陳列手段を表現した３次元グラフィックスが現実の商店におけるレイアウトと同じように配置された仮想空間の電子商店が提供される。
【００３８】
また、電子商店システム１００では、商店端末１４０は、商店に陳列された商品の陳列位置を示す位置情報を含む、商品に関するデータの入力を受け付ける。また、商店端末１４０は、デジタルカメラによって撮影された商品の画像データの入力を受け付ける。そして、商店端末１４０は、商品に関するデータと、画像データとを、電子商店サーバ１１０に送信する。電子商店サーバ１１０は、商店端末１４０からデータを受信すると、画像データを基にして、その画像データの商品を表現した３次元グラフィックスを生成する。そして、電子商店サーバ１１０は、商品に関するデータに含まれている商品の陳列位置を示す位置情報に従って、商品を表現した３次元グラフィックスを更に配置することによって、仮想空間の画像をリアルタイムに生成する。
【００３９】
このように、電子商店システム１００では、商店に陳列された商品を表現した３次元グラフィックスが現実の商店における陳列位置と同じように配置された仮想空間の電子商店が提供される。なお、デジタルカメラは、この発明における「撮影手段」の一例であってよい。
【００４０】
また、電子商店システム１００では、電子商店サーバ１１０は、仮想空間における視野を変更する操作に関するデータを、顧客端末１９０から受信する。そして、電子商店サーバ１１０は、視野の変更操作に従って、顧客端末１９０のディスプレイに表示されている仮想空間の視野が変更されるよう、仮想空間の画像をリアルタイムに生成する。
【００４１】
このように、電子商店システム１００では、顧客端末１９０における顧客の操作に従って、顧客端末１９０のディスプレイに表示されている仮想空間の視野が変更される。なお、ディスプレイは、この発明における「表示手段」の一例であってよい。
【００４２】
また、電子商店システム１００では、提供者端末１７０は、情報誌に掲載する商品の情報に関するデータを、出版者端末１６０に送信する。出版者端末１６０は、提供者端末１７０からデータを受信すると、商品の情報を基に編集され、情報誌に掲載された商品の紹介記事に関するデータを、電子商店サーバ１１０に送信する。電子商店サーバ１１０は、出版者端末１６０からデータを受信すると、仮想空間における商品の３次元グラフィックスを選択する操作に関するデータを、顧客端末１９０から受信する。そして、電子商店サーバ１１０は、商品の紹介記事のうち、選択操作された対象の商品の紹介記事の情報を含む、商品に関するデータを、顧客端末１９０に送信する。
【００４３】
このように、電子商店システム１００では、電子商店で販売されている商品が顧客によって選択されたときに、選択された商品が情報誌に掲載されたときの紹介記事が、顧客端末１９０のディスプレイに表示される。
【００４４】
また、電子商店システム１００では、出版者端末１６０は、商品の紹介記事に関するデータを、商店端末１４０に更に送信する。商店端末１４０は、出版者端末１６０からデータを受信すると、商品の紹介記事を含む、ＰＯＰ広告に関するデータを生成して、プリンタに出力する。
【００４５】
このように、電子商店システム１００では、商店に陳列される商品の販売促進のためのＰＯＰ広告について、商品が情報誌に掲載されたときの商品の紹介記事を含むＰＯＰ広告が得られる。なお、プリンタは、この発明における「印刷手段」の一例であってよい。
【００４６】
また、電子商店システム１００では、電子商店サーバ１１０は、電子商店で販売されている商品を購入する操作に関するデータを、顧客端末１９０から受信する。そして、電子商店サーバ１１０は、購入操作された対象の商品の販売処理を行う。
【００４７】
このように、電子商店システム１００では、電子商店で販売されている商品のうち、顧客によって選択操作された商品が販売される。
【００４８】
また、電子商店システム１００では、電子商店サーバ１１０は、販売処理した対象の商品の情報と、その商品を購入した顧客の情報とを含む、販売処理した対象の商品に関するデータを、商店端末１４０に送信する。商店端末１４０は、電子商店サーバ１１０からデータを受信すると、そのデータをディスプレイに出力する。
【００４９】
このように、電子商店システム１００では、電子商店で販売された商品や、その商品を購入した顧客の情報が商店の関係者に提示される。なお、ディスプレイは、この発明における「出力手段」の一例であってよい。
【００５０】
また、電子商店システム１００では、商店端末１４０は、商品に関連する催事が企画されている場合、その催事の情報を更に含む、商品に関するデータの入力を受け付ける。電子商店サーバ１１０は、選択操作された対象の商品に関連する催事の情報を更に含む、商品に関するデータを、顧客端末１９０に送信する。
【００５１】
このように、電子商店システム１００では、顧客によって電子商店で販売されている商品が選択されたときに、その商品が情報誌に掲載されたときの紹介記事と共に、現実の商店で企画された、その商品の種類に関連する催事の情報が顧客に提示される。
【００５２】
また、電子商店システム１００では、電子商店サーバ１１０は、販売処理した対象の商品の販売数の情報を更に含む、販売処理した対象の商品に関するデータを、商店端末１４０に送信する。商店端末１４０は、商店で販売している商品の情報と、その商品の在庫数の情報とを対応付けて外部記憶装置に記憶している。そして、商店端末１４０は、商店に入荷された商品の入荷数に関するデータの入力を受け付ける。また、商店端末１４０は、商店で販売された商品の販売数に関するデータの入力を受け付ける。そして、商店端末１４０は、商品の入荷数、商店における商品の販売数、又は電子商店における商品の販売数に基づいて、外部記憶装置に記憶されている商品の在庫数の情報を更新する。
【００５３】
このように、電子商店システム１００では、現実の商店に商品が入荷されたり、現実の商店又は電子商店で商品が販売されたりする度に、商店端末１４０の外部記憶装置に記憶されている商品の在庫数の情報が更新される。
【００５４】
また、電子商店システム１００では、商店端末１４０は、商店で販売している商品の在庫数に関するデータを、電子商店サーバ１１０に送信する。電子商店サーバ１１０は、電子商店で販売している商品の情報と、その商品の在庫数の情報とを対応付けて外部記憶装置に記憶している。そして、電子商店システム１００は、商店端末１４０からデータを受信すると、商店で販売している商品の在庫数と一致するよう、外部記憶装置に記憶されている商品の在庫数の情報を更新する。
【００５５】
このように、電子商店システム１００では、現実の商店で販売されている商品の在庫数が変動すると、それに合わせて、電子商店で販売されている商品の在庫数も、現実の商店で販売されている商品の在庫数と同じになるように変動する。
【００５６】
また、電子商店システム１００では、商店端末１４０は、商店で販売された商品の販売数に関するデータを、提供者端末１７０に送信する。提供者端末１７０は、商店端末１４０からデータを受信すると、商店で販売された商品の販売数を含む、その商品の情報に関するデータを、ディスプレイに出力する。
【００５７】
このように、電子商店システム１００では、現実の商店において販売された商品の販売数等の情報が、その商品を出荷した提供者に提供される。なお、ディスプレイは、この発明における「出力手段」の一例であってよい。
【００５８】
また、電子商店システム１００では、電子商店サーバ１１０は、販売処理した対象の商品の販売数に関するデータを、提供者端末１７０に送信する。提供者端末１７０は、商品の販売数に関するデータを、電子商店サーバ１１０からも更に受信する。
【００５９】
このように、電子商店システム１００では、電子商店において販売された商品の販売数等の情報が、その商品を出荷した提供者に提供される。
【００６０】
また、電子商店システム１００では、商店端末１４０は、顧客を採寸して得られたその顧客の身体の各部分の寸法の情報を含む、顧客に関するデータの入力を受け付け、電子商店サーバ１１０に送信する。商店端末１４０は、商品が身体の各部分の寸法に合わせて着用されるべき商品である場合、その商品を着用し得る身体の各部分の寸法の許容値の情報を更に含む、商品に関するデータの入力を受け付ける。電子商店サーバ１１０は、電子商店にアクセスしてきた顧客に対して認証処理を行う。そして、電子商店サーバ１１０は、  顧客の身体の各部分の寸法と、商品を着用し得る身体の各部分の寸法の許容値とに基づいて、顧客が着用し得る商品を特定する。そして、電子商店サーバ１１０は、商品を表現した３次元グラフィックスを配置するにあたり、顧客が着用し得る商品を表現した３次元グラフィックスを、顧客が着用し得る商品であるということが分かるように配置することによって、仮想空間の画像をリアルタイムに生成する。
【００６１】
このように、電子商店システム１００では、衣服やアクセサリー等のように、身体に合った寸法のものを着用しなければならない商品について、認証された顧客の身体の寸法に合った商品が分かるよう、商品の３次元グラフィックスが表示される。
【００６２】
なお、本実施形態においては、説明が煩雑になることを防ぐことを目的として、電子商店システム１００が一の電子商店サーバ１００、商店端末１４０、及び出版者端末１６０を備える構成について説明したが、電子商店システム１００は、複数の電子商店サーバ１００、商店端末１４０、及び出版者端末１６０を備えてよい。
【００６３】
図２は、電子商店サーバ１１０のブロック構成の一例を示す。電子商店サーバ１１０は、陳列手段情報格納部１１１、仮想空間生成部１１２、画像データ送信部１１３、商品データ受信部１１４、商品グラフィックス生成部１１５、視野操作データ受信部１１６、紹介記事データ受信部１１７、選択操作データ受信部１１８、商品データ送信部１１９、購入操作データ受信部１２０、販売処理部１２１、販売商品データ送信部１２２、商品情報格納部１２３、在庫数データ受信部１２４、在庫数更新部１２５、販売数データ送信部１２６、顧客データ受信部１２７、認証処理部１２８、商品特定部１２９、及び顧客情報格納部１３０を有する。以下、各構成要素の機能及び動作を説明する。
【００６４】
仮想空間生成部１１２は、陳列手段情報格納部１１１に格納されている位置情報に従って、陳列手段情報格納部１１１に格納されている３次元グラフィックスを配置し、商品データ受信部１１４が受信した商品に関するデータに含まれている商品の陳列位置を示す位置情報に従って、商品グラフィックス生成部１１５が生成した３次元グラフィックスを更に配置することによって、仮想空間の画像をリアルタイムに生成する。具体的には、仮想空間生成部１１２は、顧客の顧客端末１９０に関するデータを認証処理部１２８から受け取ると、商品を陳列するために商店に配置されている陳列手段を表現した３次元グラフィックスと、その３次元グラフィックスが仮想空間の中で配置されるべき位置を示す位置情報とを陳列手段情報格納部１１１から読み出す。また、仮想空間生成部１１２は、商品を表現した３次元グラフィックスと、その商品が商店に陳列された陳列位置を示す位置情報とを商品情報格納部１２３から読み出す。そして、仮想空間生成部１１２は、陳列手段情報格納部１１１から読み出した陳列手段の３次元グラフィックスを、その３次元グラフィックスの位置情報に従って配置し、商品情報格納部１２３から読み出した商品の３次元グラフィックスを、その３次元グラフィックスの位置情報に従って配置することによって、仮想空間の画像をリアルタイムに生成する。そして、仮想空間生成部１１２は、生成した仮想空間の画像データと、顧客の顧客端末１９０に関するデータとを画像データ送信部１１３に送る。
【００６５】
また、仮想空間生成部１１２は、視野操作データ受信部１１６が受信したデータによって示される視野の変更操作に従って、顧客端末１９０のディスプレイに表示されている仮想空間の視野が変更されるよう、仮想空間の画像をリアルタイムに生成する。具体的には、仮想空間生成部１１２は、仮想空間における視野を変更する操作に関するデータと、視野の変更操作を行った顧客の顧客端末１９０に関するデータとを視野操作データ受信部１１６から受け取ると、そのデータによって示される仮想空間における視野の変更操作に従って、顧客端末１９０のディスプレイに表示されている仮想空間の視野が変更されるよう、変更された視野で表示されるべき陳列手段の３次元グラフィックス及びその位置情報を陳列手段情報格納部１１１から読み出す。また、仮想空間生成部１１２は、変更された視野で表示されるべき商品の３次元グラフィックス及びその位置情報を商品情報格納部１２３から読み出す。そして、仮想空間生成部１１２は、陳列手段情報格納部１１１から読み出した陳列手段の３次元グラフィックスを、その３次元グラフィックスの位置情報に従って再配置し、商品情報格納部１２３から読み出した商品の３次元グラフィックスを、その３次元グラフィックスの位置情報に従って再配置することによって、仮想空間の画像をリアルタイムに再生成する。そして、仮想空間生成部１１２は、再生成した仮想空間の画像データと、視野の変更操作を行った顧客の顧客端末１９０に関するデータとを画像データ送信部１１３に送る。
【００６６】
また、仮想空間生成部１１２は、商品グラフィックス生成部１１５が生成した３次元グラフィックスを配置するにあたり、商品特定部１２９が特定した商品を表現した３次元グラフィックスを、顧客が着用し得る商品であるということが分かるように配置することによって、仮想空間の画像をリアルタイムに生成する。具体的には、仮想空間生成部１１２は、顧客が着用し得る商品として特定された商品に関するデータを商品特定部１２９から受け取ると、商品情報格納部１２３から読み出した商品の３次元グラフィックスのうち、商品特定部１２９から受け取ったデータによって示される商品の３次元グラフィックスを、顧客が着用し得る商品であるということが分かるように配置することによって、仮想空間の画像をリアルタイムに生成する。そして、仮想空間生成部１１２は、生成した仮想空間の画像データと、顧客の顧客端末１９０に関するデータとを画像データ送信部１１３に送る。
【００６７】
画像データ送信部１１３は、仮想空間生成部１１２が生成した仮想空間の画像に関するデータを、電子商店にアクセスしている顧客によって使用されている顧客端末１９０に送信する。具体的には、画像データ送信部１１３は、仮想空間の画像データと、顧客の顧客端末１９０に関するデータとを仮想空間生成部１１２から受け取ると、そのデータによって示される顧客端末１９０に対し、仮想空間の画像データを送信する。
【００６８】
商品データ受信部１１４は、商品に関するデータと、画像データとを、商店端末１４０から受信する。具体的には、商品データ受信部１１４は、商品に関するデータと、画像データとを商店端末１４０から受信すると、商品に関するデータに含まれている各情報を、商品情報格納部１２３に格納すると共に、画像データを商品グラフィックス生成部１１５に送る。
【００６９】
商品グラフィックス生成部１１５は、商品データ受信部１１４が受信した画像データを基にして、その画像データの商品を表現した３次元グラフィックスを生成する。具体的には、商品グラフィックス生成部１１５は、商品の画像データを商品データ受信部１１４から受け取ると、その画像データを基にして、商品を表現した３次元グラフィックスを生成する。そして、商品グラフィックス生成部１１５は、生成した３次元グラフィックスを商品情報格納部１２３に格納する。
【００７０】
視野操作データ受信部１１６は、仮想空間における視野を変更する操作に関するデータを、顧客端末１９０から受信する。具体的には、視野操作データ受信部１１６は、仮想空間における視野を変更する操作に関するデータを顧客端末１９０から受信すると、そのデータと、視野の変更操作を行った顧客の顧客端末１９０に関するデータを仮想空間生成部１１２に送る。
【００７１】
紹介記事データ受信部１１７は、商品の紹介記事に関するデータを、出版者端末１６０から受信する。具体的には、紹介記事データ受信部１１７は、情報誌に紹介された商品の紹介記事に関するデータを出版者端末１６０から受信すると、そのデータによって示される商品の紹介記事の情報を商品情報格納部１２３に格納する。
【００７２】
選択操作データ受信部１１８は、仮想空間における商品の３次元グラフィックスを選択する操作に関するデータを、顧客端末１９０から受信する。具体的には、選択操作データ受信部１１８は、仮想空間における商品の３次元グラフィックスを選択する操作に関するデータを顧客端末１９０から受信すると、そのデータと、商品の選択操作を行った顧客の顧客端末１９０に関するデータを商品データ送信部１１９に送る。
【００７３】
商品データ送信部１１９は、紹介記事データ受信部１１７が受信したデータによって示される商品の紹介記事のうち、選択操作データ受信部１１８が受信したデータによって示される選択操作された対象の商品の紹介記事の情報を含む、商品に関するデータを、顧客端末１９０に送信する。また、商品データ送信部１１９は、商品データ受信部１１４が受信したデータに含まれている商品に関連する催事の情報を更に含む、商品に関するデータを、顧客端末１９０に送信する。具体的には、商品データ送信部１１９は、仮想空間における商品の３次元グラフィックスを選択する操作に関するデータと、商品の選択操作を行った顧客の顧客端末１９０に関するデータとを選択操作データ受信部１１８から受け取ると、そのデータによって示される選択操作された対象の商品の紹介記事の情報を含む、商品の各情報を商品情報格納部１２３から読み出す。また、商品データ送信部１１９は、顧客によって選択操作された対象の商品に関連する催事の情報が商品情報格納部１２３に格納されている場合、その催事の情報を更に含む、商品の各情報を商品情報格納部１２３から読み出す。そして、商品データ送信部１１９は、読み出した商品の各情報に関するデータを、選択操作データ受信部１１８から受け取ったデータによって示される顧客端末１９０に送信する。
【００７４】
購入操作データ受信部１２０は、電子商店で販売されている商品を購入する操作に関するデータを、顧客端末１９０から受信する。具体的には、購入操作データ受信部１２０は、電子商店で販売されている商品を購入する操作に関するデータを顧客端末１９０から受信すると、そのデータと、商品の購入操作を行った顧客の顧客端末１９０に関するデータを販売処理部１２１に送る。
【００７５】
販売処理部１２１は、購入操作データ受信部１２０が受信したデータによって示される購入操作された対象の商品の販売処理を行う。具体的には、販売処理部１２１は、電子商店で販売されている商品を購入する操作に関するデータと、商品の購入操作を行った顧客の顧客端末１９０に関するデータとを購入操作データ受信部１２０から受け取ると、そのデータによって示される購入操作された対象の商品の情報を商品情報格納部１２３から読み出す。そして、販売処理部１２１は、購入操作データ受信部１１８から受け取ったデータによって示される顧客端末１９０との間で、購入操作された対象の商品の販売処理を行う。そして、販売処理部１２１は、販売処理した対象の商品の情報と、その商品の販売数の情報と、その商品を購入した顧客の情報とを含む、販売処理した対象の商品に関するデータを販売商品データ送信部１２２に送る。また、販売処理部１２１は、販売処理した対象の商品の販売数に関するデータを、販売数データ送信部１２６に送る。
【００７６】
販売商品データ送信部１２２は、販売処理部１２１が販売処理した対象の商品の情報と、その商品の販売数の情報と、その商品を購入した顧客の情報とを含む、販売処理した対象の商品に関するデータを、商店端末１４０に送信する。具体的には、販売商品データ送信部１２２は、販売処理した対象の商品の情報と、その商品の販売数の情報と、その商品を購入した顧客の情報とを含む、販売処理した対象の商品に関するデータを販売処理部１２１から受け取ると、そのデータを商店端末１４０に送信する。
【００７７】
在庫数データ受信部１２４は、商品の在庫数に関するデータを、商店端末１４０から受信する。具体的には、在庫数データ受信部１２４は、商店で販売している商品の在庫数に関するデータを商店端末１４０から受信すると、そのデータを在庫数更新部１２５に送る。
【００７８】
在庫数更新部１２５は、在庫数データ受信部１２４が受信したデータによって示される商品の在庫数と一致するよう、商品情報格納部１２３に格納されている商品の在庫数の情報を更新する。具体的には、在庫数更新部１２５は、商店で販売されている商品の在庫数に関するデータを在庫数データ受信部１２４から受け取ると、そのデータによって示される商品の在庫数と一致するよう、商品情報格納部１２３に格納されている商品の在庫数の情報を更新する。
【００７９】
販売数データ送信部１２６は、販売処理部１２１が販売処理した対象の商品の販売数に関するデータを、提供者端末１７０に送信する。具体的には、販売数データ送信部１２６は、販売処理した対象の商品の販売数に関するデータを販売処理部１２１から受け取ると、そのデータを提供者端末１７０に送信する。
【００８０】
顧客データ受信部１２７は、顧客に関するデータを、商店端末１４０から受信する。具体的には、顧客データ受信部１２７は、顧客を採寸して得られたその顧客の身体の各部分の寸法の情報を含む、顧客に関するデータを商店端末１４０から受信すると、そのデータによって示される顧客の各情報を顧客情報格納部１３０に格納する。
【００８１】
認証処理部１２８は、電子商店にアクセスしてきた顧客に対して認証処理を行う。具体的には、認証処理部１２８は、電子商店へのアクセス要求に関するデータを顧客端末１９０から受信すると、顧客情報格納部１３０に格納されている情報を読み出して、電子商店へのアクセス要求に関するデータを送信してきた顧客端末１９０との間で、顧客の認証処理を行う。そして、認証処理部１２８は、顧客を認証することができなかった場合、電子商店へのアクセス要求に関するデータを送信してきた顧客端末１９０に関するデータを仮想空間生成部１１２に送る。一方、認証処理部１２８は、顧客を認証することができた場合、電子商店へのアクセス要求に関するデータを送信してきた顧客端末１９０に関するデータを仮想空間生成部１１２に送ると共に、認証された顧客に関するデータを商品特定部１２９に送る。
【００８２】
商品特定部１２９は、顧客データ受信部１２７が受信したデータのうち認証処理部１２８が認証した顧客に関するデータによって示される顧客の身体の各部分の寸法と、商品データ受信部１１４が受信した商品に関するデータに含まれている商品を着用し得る身体の各部分の寸法の許容値とに基づいて、顧客が着用し得る商品を特定する。具体的には、商品特定部１２９は、認証された顧客に関するデータを認証処理部１２８から受け取ると、その顧客の身体の各部分の寸法の情報を顧客情報格納部１３０から読み出し、商品を着用し得る身体の各部分の寸法の許容値の情報を商品情報格納部１２３から読み出す。そして、商品特定部１２９は、これら情報に基づいて、顧客が着用し得る商品を特定する。そして、商品特定部１２９は、特定した商品に関するデータを仮想空間生成部１１２に送る。
【００８３】
図３は、商店端末１４０のブロック構成の一例を示す。商店端末１４０は、商品データ入力受付部１４１、画像データ入力受付部１４２、商品データ送信部１４３、紹介記事データ受信部１４４、ＰＯＰ広告データ生成部１４５、ＰＯＰ広告データ出力部１４６、販売商品データ受信部１４７、販売商品データ出力部１４８、商品情報格納部１４９、入荷数データ入力受付部１５０、販売数データ入力受付部１５１、在庫数更新部１５２、在庫数データ送信部１５３、販売数データ送信部１５４、顧客データ入力受付部１５５、顧客データ送信部１５６、及び顧客情報格納部１５７を有する。以下、各構成要素の機能及び動作を説明する。
【００８４】
商品データ入力受付部１４１は、商店に陳列された商品の陳列位置を示す位置情報を含む、商品に関するデータの入力を受け付ける。また、商品データ入力受付部１４１は、商品に関連する催事が企画されている場合、その催事の情報を更に含む、商品に関するデータの入力を受け付ける。また、商品データ入力受付部１４１は、商品が身体の各部分の寸法に合わせて着用されるべき商品である場合、その商品を着用し得る身体の各部分の寸法の許容値の情報を更に含む、商品に関するデータの入力を受け付ける。具体的には、商品データ入力受付部１４１は、商品に関するデータの入力を受け付けると、そのデータに含まれている各情報を商品情報格納部１４９に格納する。
【００８５】
画像データ入力受付部１４２は、デジタルカメラによって撮影された商品の画像データの入力を受け付ける。具体的には、画像データ入力受付部１４２は、デジタルカメラによって撮影された商品の画像データの入力を受け付けると、その画像データを商品情報格納部１４９に格納する。
【００８６】
商品データ送信部１４３は、商品データ入力受付部１４１が入力を受け付けた商品に関するデータと、画像データ入力受付部１４２が入力を受け付けた画像データとを、電子商店サーバ１１０に送信する。具体的には、商品データ送信部１４３は、商品情報格納部１４９に格納されている情報が更新されると、更新された情報を含む、その商品の各情報を商品情報格納部１４９から読み出す。そして、商品データ送信部１４３は、商品情報格納部１４９から読み出した商品の各情報を含む、商品に関するデータを電子商店サーバ１１０に送信する。
【００８７】
紹介記事データ受信部１４４は、商品の紹介記事に関するデータを、出版者端末１６０から受信する。具体的には、紹介記事データ受信部１４４は、情報誌に掲載された商品の紹介記事に関するデータを出版者端末１６０から受信すると、そのデータによって示される情報を商品情報格納部１４９に格納する。
【００８８】
ＰＯＰ広告データ生成部１４５は、紹介記事データ受信部１４４が受信したデータによって示される商品の紹介記事を含む、ＰＯＰ広告に関するデータを生成する。具体的には、ＰＯＰ広告データ生成部１４５は、商品情報格納部１４９に格納されている情報のうち、情報誌に掲載された商品の紹介記事の情報が更新されると、更新された情報を含む、その商品の各情報を商品情報格納部１４９から読み出す。そして、ＰＯＰ広告データ生成部１４５は、読み出した商品の各情報を含む、ＰＯＰ広告に関するデータを生成する。そして、ＰＯＰ広告データ生成部１４５は、生成したデータをＰＯＰ広告データ出力部１４６に送る。
【００８９】
ＰＯＰ広告データ出力部１４６は、ＰＯＰ広告データ生成部１４５が生成したデータを、プリンタに出力する。具体的には、ＰＯＰ広告データ出力部１４６は、ＰＯＰ広告に関するデータをＰＯＰ広告データ生成部１４５から受け取ると、そのデータをプリンタに出力する。
【００９０】
販売商品データ受信部１４７は、電子商店で販売処理された対象の商品の情報と、その商品を購入した顧客の情報とを含む、電子商店で販売処理された対象の商品に関するデータを、電子商店サーバ１１０から受信する。具体的には、販売商品データ受信部１４７は、電子商店で販売処理された対象の商品の情報と、その商品の販売数の情報と、その商品を購入した顧客の情報とを含む、電子商店で販売処理された商品に関するデータを電子商店サーバ１１０から受信すると、そのデータを販売商品データ出力部１４８に送る。また、販売商品データ受信部１４７は、電子商店サーバ１１０から受信したデータに含まれている情報のうち、電子商店で販売された対象の商品の販売数の情報を含むデータを在庫数更新部１５２に送る。
【００９１】
販売商品データ出力部１４８は、販売商品データ受信部１４７が受信したデータを、ディスプレイに出力する。具体的には、販売商品データ出力部１４８は、電子商店で販売処理された対象の商品の情報と、その商品の販売数の情報と、その商品を購入した顧客の情報とを含む、電子商店で販売処理された商品に関するデータを販売商品データ受信部１４７から受け取ると、そのデータをディスプレイに出力する。
【００９２】
入荷数データ入力受付部１５０は、商店に入荷された商品の入荷数に関するデータの入力を受け付ける。具体的には、入荷数データ入力受付部１５０は、商店に入荷された商品の入荷数に関するデータの入力を受け付けると、そのデータを在庫数更新部１５２に送る。
【００９３】
販売数データ入力受付部１５１は、商店で販売された商品の販売数に関するデータの入力を受け付ける。具体的には、販売数データ入力受付部１５１は、商店で販売された商品の販売数に関するデータの入力を受け付けると、そのデータを在庫数更新部１５２及び販売数データ送信部１５４に送る。
【００９４】
在庫数更新部１５２は、入荷数データ入力受付部１５０が入力を受け付けたデータによって示される商品の入荷数、販売数データ入力受付部１５１が入力を受け付けたデータによって示される商品の販売数、又は販売商品データ受信部１４７が受信したデータに含まれている商品の販売数に基づいて、商品情報格納部１４９に格納されている商品の在庫数の情報を更新する。具体的には、在庫数更新部１５２は、商店に入荷された商品の入荷数に関するデータを入荷数データ入力受付部１５０から受け取ると、商品情報格納部１４９に格納されているその商品の在庫数の情報を更新する。また、在庫数更新部１５２は、商店で販売された商品の販売数に関するデータを販売数データ入力受付部１５１から受け取ると、商品情報格納部１４９に格納されているその商品の在庫数の情報を更新する。また、在庫数更新部１５２は、電子商店で販売された商品の販売数の情報を含むデータを販売商品データ受信部１４７から受け取ると、商品情報格納部１４９に格納されているその商品の在庫数の情報を更新する。そして、在庫数更新部１５２は、更新した後の商品の在庫数に関するデータを在庫数データ送信部１５３に送る。
【００９５】
在庫数データ送信部１５３は、在庫数更新部１５２が更新した後の商品の在庫数に関するデータを、電子商店サーバ１１０に送信する。具体的には、在庫数データ送信部１５３は、商品の在庫数に関するデータを在庫数更新部１５２から受け取ると、そのデータを電子商店サーバ１１０に送信する。
【００９６】
販売数データ送信部１５４は、販売数データ入力受付部１５１が入力を受け付けたデータを、提供者端末１７０に送信する。具体的には、販売数データ送信部１５４は、商店で販売された商品の販売数に関するデータを販売数データ入力受付部１５１から受け取ると、そのデータを提供者端末１７０に送信する。
【００９７】
顧客データ入力受付部１５５は、顧客を採寸して得られたその顧客の身体の各部分の寸法の情報を含む、顧客に関するデータの入力を受け付ける。具体的には、顧客データ入力受付部１５５は、顧客を採寸して得られた顧客の身体の各部分の寸法の情報を含む、顧客に関するデータの入力を受け付けると、そのデータに含まれている各情報を顧客情報格納部１５７に格納する。
【００９８】
顧客データ送信部１５６は、顧客データ入力受付部１５５が入力を受け付けたデータを、電子商店サーバ１１０に送信する。具体的には、顧客データ送信部１５６は、顧客情報格納部１５７に格納されている情報が更新されると、更新された情報を含む、その顧客の各情報を顧客情報格納部１５７から読み出す。そして、顧客データ送信部１５６は、顧客情報格納部１５７から読み出した顧客の各情報を含む、顧客に関するデータを電子商店サーバ１１０に送信する。
【００９９】
図４は、出版者端末１６０のブロック構成の一例を示す。出版者端末１６０は、商品情報データ受信部１６１、商品情報データ出力部１６２、紹介記事データ入力受付部１６３、紹介記事データ送信部１６４、及び紹介記事情報格納部１６５を有する。以下、各構成要素の機能及び動作を説明する。
【０１００】
商品情報データ受信部１６１は、商品の情報に関するデータを、提供者端末１７０から受信する。具体的には、商品情報データ受信部１６１は、情報誌に掲載する商品の情報に関するデータを提供者端末１７０から受信すると、そのデータを商品情報データ出力部１６２に送る。
【０１０１】
商品情報データ出力部１６２は、情報誌に掲載する商品の情報に関するデータをディスプレイやプリンタ等の出力装置に出力する。具体的には、商品情報データ出力部１６２は、情報誌に掲載する商品の情報に関するデータを商品情報データ受信部１６１から受け取ると、そのデータをディスプレイやプリンタ等の出力装置に出力する。
【０１０２】
紹介記事データ入力受付部１６３は、提供された商品の情報を基に編集され、情報誌に掲載される商品の紹介記事に関するデータの入力を受け付ける。具体的には、紹介記事データ入力受付部１６３は、提供された商品の情報を基に編集され、情報誌に掲載される商品の紹介記事に関するデータの入力を受け付けると、そのデータによって示される各情報を紹介記事情報格納部１６５に格納する。
【０１０３】
紹介記事データ送信部１６４は、商品情報データ受信部１６１が受信したデータによって示される商品の情報を基に編集され、情報誌に掲載された商品の紹介記事に関するデータを、電子商店サーバ１１０及び商店端末１４０に送信する。具体的には、紹介記事データ送信部１６４は、紹介記事情報格納部１６５に格納されている情報が更新されると、更新された情報を含む、その紹介記事の各情報を紹介記事情報格納部１６５から読み出す。そして、紹介記事データ送信部１６４は、紹介記事情報格納部１６５から読み出した紹介記事の各情報を含む、商品の紹介記事に関するデータを電子商店サーバ１１０及び商店端末１４０に送信する。
【０１０４】
図５は、提供者端末１７０ａのブロック構成の一例を示す。提供者端末１７０ａは、商品情報データ入力受付部１７１ａ、商品情報データ送信部１７２ａ、販売数データ受信部１７３ａ、及び商品データ出力部１７４ａを有する。
【０１０５】
なお、提供者端末１７０ａ以外の提供者端末１７０ｂ、ｃ、・・・も、提供者端末１７０ａが有する構成要素と同じ構成要素を有する。以後の説明では、提供者端末１７０が有する構成要素がいずれの提供者端末１７０の構成要素であるかを区別する場合には、各構成要素を有する提供者端末１７０と同じ添え字（ａ、ｂ、ｃ、・・・）を各構成要素の末尾に付して区別する。例えば、商品情報データ入力受付部１７１ａ、商品情報データ入力受付部１７１ｂ、及び商品情報データ入力受付部１７１ｃは、それぞれ提供者端末１７０ａ、提供者端末１７０ｂ、及び提供者端末１７０ｃの構成要素であることを示す。
【０１０６】
また、以後の説明において、添え字が付されていない構成要素の機能及び動作は、同じ符号が付されたいずれの構成要素の機能及び動作を示す。例えば、商品情報データ入力受付部１７１で説明された機能及び動作は、商品情報データ入力受付部１７１ａ、商品情報データ入力受付部１７１ｂ、及び商品情報データ入力受付部１７１ｃ、・・・の機能及び動作を示す。以下に、各構成要素の機能及び動作を説明する。
【０１０７】
商品情報データ入力受付部１７１は、情報誌に掲載する商品の情報に関するデータの入力を受け付ける。具体的には、商品情報データ入力受付部１７１は、情報誌に掲載する商品の情報に関するデータの入力を受け付けると、そのデータを商品情報データ送信部１７２に送る。
【０１０８】
商品情報データ送信部１７２は、情報誌に掲載する商品の情報に関するデータを出版者端末１６０に送信する。具体的には、商品情報データ送信部１７２は、情報誌に掲載する商品の情報に関するデータを商品情報データ入力受付部１７１から受け取ると、そのデータを出版者端末１６０に送信する。
【０１０９】
販売数データ受信部１７３は、商品の販売数に関するデータを電子商店サーバ１１０及び商店端末１４０から受信する。具体的には、販売数データ受信部１７３は、商品の販売数に関するデータを電子商店サーバ１１０から受信すると、そのデータを商品データ出力部１７４に送る。また、販売数データ受信部１７３は、商品の販売数に関するデータを商店端末１４０から受信すると、そのデータを商品データ出力部１７４に送る。
【０１１０】
商品データ出力部１７４は、販売数データ受信部１７３が受信したデータによって示される商品の販売数を含む、その商品の情報に関するデータを、ディスプレイに出力する。具体的には、商品データ出力部１７４は、商店又は電子商店で販売された商品の販売数を含む、商品の情報に関するデータを販売数データ受信部１７３から受け取ると、そのデータをディスプレイに出力する。
【０１１１】
図６から図１０は、電子商店サーバ１１０、商店端末１４０、出版者端末１６０、提供者端末１７０、及び顧客端末１９０の動作シーケンスの一例を示す。
【０１１２】
提供者端末１７０の商品情報データ入力受付部１７１は、情報誌に掲載する商品の情報に関するデータの入力を受け付けると（Ｓ１０１）、そのデータを商品情報データ送信部１７２に送る。商品情報データ送信部１７２は、情報誌に掲載する商品の情報に関するデータを商品情報データ入力受付部１７１から受け取ると、そのデータを出版者端末１６０に送信する（Ｓ１０２）。
【０１１３】
出版者端末１６０の商品情報データ受信部１６１は、情報誌に掲載する商品の情報に関するデータを提供者端末１７０から受信すると、そのデータを商品情報データ出力部１６２に送る。商品情報データ出力部１６２は、情報誌に掲載する商品の情報に関するデータを商品情報データ受信部１６１から受け取ると、そのデータをディスプレイやプリンタ等の出力装置に出力する（Ｓ１０３）。
【０１１４】
出版者端末１４０の紹介記事データ入力受付部１６３は、提供された商品の情報を基に編集され、情報誌に掲載される商品の紹介記事に関するデータの入力を受け付けると（Ｓ１０４）、そのデータによって示される各情報を紹介記事情報格納部１６５に格納する。
【０１１５】
出版者端末１４０の紹介記事データ送信部１６４は、紹介記事情報格納部１６５に格納されている情報が更新されると、更新された情報を含む、その紹介記事の各情報を紹介記事情報格納部１６５から読み出す。そして、紹介記事データ送信部１６４は、紹介記事情報格納部１６５から読み出した紹介記事の各情報を含む、商品の紹介記事に関するデータを電子商店サーバ１１０及び商店端末１４０に送信する（Ｓ１０５、Ｓ１０６）。
【０１１６】
電子商店サーバ１１０の紹介記事データ受信部１１７は、情報誌に紹介された商品の紹介記事に関するデータを出版者端末１６０から受信すると、そのデータによって示される商品の紹介記事の情報を商品情報格納部１２３に格納する。
【０１１７】
商店端末１４０の紹介記事データ受信部１４４は、情報誌に掲載された商品の紹介記事に関するデータを出版者端末１６０から受信すると、そのデータによって示される情報を商品情報格納部１４９に格納する。
【０１１８】
商店端末１４０のＰＯＰ広告データ生成部１４５は、商品情報格納部１４９に格納されている情報のうち、情報誌に掲載された商品の紹介記事の情報が更新されると、更新された情報を含む、その商品の各情報を商品情報格納部１４９から読み出す。そして、ＰＯＰ広告データ生成部１４５は、読み出した商品の各情報を含む、ＰＯＰ広告に関するデータを生成する（Ｓ１０７）。そして、ＰＯＰ広告データ生成部１４５は、生成したデータをＰＯＰ広告データ出力部１４６に送る。ＰＯＰ広告データ出力部１４６は、ＰＯＰ広告に関するデータをＰＯＰ広告データ生成部１４５から受け取ると、そのデータをプリンタに出力する（Ｓ１０８）。
【０１１９】
商店端末１４０の入荷数データ入力受付部１５０は、商店に入荷された商品の入荷数に関するデータの入力を受け付けると（Ｓ１０９）、そのデータを在庫数更新部１５２に送る。在庫数更新部１５２は、商店に入荷された商品の入荷数に関するデータを入荷数データ入力受付部１５０から受け取ると、商品情報格納部１４９に格納されているその商品の在庫数の情報を更新する（Ｓ１１０）。そして、在庫数更新部１５２は、更新した後の商品の在庫数に関するデータを在庫数データ送信部１５３に送る。在庫数データ送信部１５３は、商品の在庫数に関するデータを在庫数更新部１５２から受け取ると、そのデータを電子商店サーバ１１０に送信する（Ｓ１１１）。
【０１２０】
電子商店サーバ１１０の在庫数データ受信部１２４は、商店で販売している商品の在庫数に関するデータを商店端末１４０から受信すると、そのデータを在庫数更新部１２５に送る。在庫数更新部１２５は、商店で販売されている商品の在庫数に関するデータを在庫数データ受信部１２４から受け取ると、そのデータによって示される商品の在庫数と一致するよう、商品情報格納部１２３に格納されている商品の在庫数の情報を更新する（Ｓ１１２）。
【０１２１】
商店端末１４０の商品データ入力受付部１４１は、商品に関するデータの入力を受け付けると（Ｓ１１３）、そのデータに含まれている各情報を商品情報格納部１４９に格納する。
【０１２２】
商店端末１４０の画像データ入力受付部１４２は、デジタルカメラによって撮影された商品の画像データの入力を受け付けると（Ｓ１１４）、その画像データを商品情報格納部１４９に格納する。
【０１２３】
商店端末１４０の商品データ送信部１４３は、商品情報格納部１４９に格納されている情報が更新されると、更新された情報を含む、その商品の各情報を商品情報格納部１４９から読み出す。そして、商品データ送信部１４３は、商品情報格納部１４９から読み出した商品の各情報を含む、商品に関するデータを電子商店サーバ１１０に送信する（Ｓ１１５）。
【０１２４】
電子商店サーバ１１０の商品データ受信部１１４は、商品に関するデータと、画像データとを商店端末１４０から受信すると、商品に関するデータに含まれている各情報を、商品情報格納部１２３に格納すると共に、画像データを商品グラフィックス生成部１１５に送る。商品グラフィックス生成部１１５は、商品の画像データを商品データ受信部１１４から受け取ると、その画像データを基にして、商品を表現した３次元グラフィックスを生成する（Ｓ１１６）。そして、商品グラフィックス生成部１１５は、生成した３次元グラフィックスを商品情報格納部１２３に格納する。
【０１２５】
商店端末１４０の顧客データ入力受付部１５５は、顧客を採寸して得られた顧客の身体の各部分の寸法の情報を含む、顧客に関するデータの入力を受け付けると（Ｓ１１７）、そのデータに含まれている各情報を顧客情報格納部１５７に格納する。
【０１２６】
商店端末１４０の顧客データ送信部１５６は、顧客情報格納部１５７に格納されている情報が更新されると、更新された情報を含む、その顧客の各情報を顧客情報格納部１５７から読み出す。そして、顧客データ送信部１５６は、顧客情報格納部１５７から読み出した顧客の各情報を含む、顧客に関するデータを電子商店サーバ１１０に送信する（Ｓ１１８）。
【０１２７】
商店端末１４０の販売数データ入力受付部１５１は、商店で販売された商品の販売数に関するデータの入力を受け付けると（Ｓ１１９）、そのデータを在庫数更新部１５２及び販売数データ送信部１５４に送る。在庫数更新部１５２は、商店で販売された商品の販売数に関するデータを販売数データ入力受付部１５１から受け取ると、商品情報格納部１４９に格納されているその商品の在庫数の情報を更新する（Ｓ１２０）。そして、在庫数更新部１５２は、更新した後の商品の在庫数に関するデータを在庫数データ送信部１５３に送る。在庫数データ送信部１５３は、商品の在庫数に関するデータを在庫数更新部１５２から受け取ると、そのデータを電子商店サーバ１１０に送信する（Ｓ１２１）。販売数データ送信部１５４は、商店で販売された商品の販売数に関するデータを販売数データ入力受付部１５１から受け取ると、そのデータを提供者端末１７０に送信する（Ｓ１２２）。
【０１２８】
電子商店サーバ１１０の在庫数データ受信部１２４は、商店で販売している商品の在庫数に関するデータを商店端末１４０から受信すると、そのデータを在庫数更新部１２５に送る。在庫数更新部１２５は、商店で販売されている商品の在庫数に関するデータを在庫数データ受信部１２４から受け取ると、そのデータによって示される商品の在庫数と一致するよう、商品情報格納部１２３に格納されている商品の在庫数の情報を更新する（Ｓ１２３）。
【０１２９】
提供者端末１７０の販売数データ受信部１７３は、商品の販売数に関するデータを商店端末１４０から受信すると、そのデータを商品データ出力部１７４に送る。商品データ出力部１７４は、商店で販売された商品の販売数を含む、商品の情報に関するデータを販売数データ受信部１７３から受け取ると、そのデータをディスプレイに出力する（Ｓ１２４）。
【０１３０】
顧客端末１９０は、電子商店へアクセスする旨の要求の入力を受け付けると、その要求に関するデータを電子商店サーバ１１０に送信する（Ｓ１２５）。
【０１３１】
電子商店サーバ１１０の認証処理部１２８は、電子商店へのアクセス要求に関するデータを顧客端末１９０から受信すると、顧客情報格納部１３０に格納されている情報を読み出して、電子商店へのアクセス要求に関するデータを送信してきた顧客端末１９０との間で、顧客の認証処理を行う（Ｓ１２６）。そして、認証処理部１２８は、顧客を認証することができなかった場合（Ｓ１２７：Ｎｏ）、電子商店へのアクセス要求に関するデータを送信してきた顧客端末１９０に関するデータを仮想空間生成部１１２に送る。一方、認証処理部１２８は、顧客を認証することができた場合（Ｓ１２７：Ｙｅｓ）、電子商店へのアクセス要求に関するデータを送信してきた顧客端末１９０に関するデータを仮想空間生成部１１２に送ると共に、認証された顧客に関するデータを商品特定部１２９に送る。商品特定部１２９は、認証された顧客に関するデータを商品特定部１２９から受け取ると、その顧客の身体の各部分の寸法の情報を顧客情報格納部１３０から読み出し、商品を着用し得る身体の各部分の寸法の許容値の情報を商品情報格納部１２３から読み出す。そして、商品特定部１２９は、これら情報に基づいて、顧客が着用し得る商品を特定する（Ｓ１２８）。そして、商品特定部１２９は、特定した商品に関するデータを仮想空間生成部１１２に送る。仮想空間生成部１１２は、顧客の顧客端末１９０に関するデータを認証処理部１２８から受け取ると、商品を陳列するために商店に配置されている陳列手段を表現した３次元グラフィックスと、その３次元グラフィックスが仮想空間の中で配置されるべき位置を示す位置情報とを陳列手段情報格納部１１１から読み出す。また、仮想空間生成部１１２は、商品を表現した３次元グラフィックスと、その商品が商店に陳列された陳列位置を示す位置情報とを商品情報格納部１２３から読み出す。そして、仮想空間生成部１１２は、陳列手段情報格納部１１１から読み出した陳列手段の３次元グラフィックスを、その３次元グラフィックスの位置情報に従って配置し、商品情報格納部１２３から読み出した商品の３次元グラフィックスを、その３次元グラフィックスの位置情報に従って配置することによって、仮想空間の画像をリアルタイムに生成する（Ｓ１２９）。仮想空間生成部１１２は、顧客が着用し得る商品として特定された商品に関するデータを商品特定部１２９から受け取ると、商品情報格納部１２３から読み出した商品の３次元グラフィックスのうち、商品特定部１２９から受け取ったデータによって示される商品の３次元グラフィックスを、顧客が着用し得る商品であるということが分かるように配置することによって、仮想空間の画像をリアルタイムに生成する。そして、仮想空間生成部１１２は、生成した仮想空間の画像データと、顧客の顧客端末１９０に関するデータとを画像データ送信部１１３に送る。画像データ送信部１１３は、仮想空間の画像データと、顧客の顧客端末１９０に関するデータとを仮想空間生成部１１２から受け取ると、そのデータによって示される顧客端末１９０に対し、仮想空間の画像データを送信する（Ｓ１３０）。
【０１３２】
顧客端末１９０は、仮想空間における視野を変更する旨の操作の入力を受け付けると、その操作に関するデータを電子商店サーバ１１０に送信する（Ｓ１３１）。
【０１３３】
電子商店サーバ１１０の視野操作データ受信部１１６は、仮想空間における視野を変更する操作に関するデータを顧客端末１９０から受信すると、そのデータと、視野の変更操作を行った顧客の顧客端末１９０に関するデータを仮想空間生成部１１２に送る。仮想空間生成部１１２は、仮想空間における視野を変更する操作に関するデータと、視野の変更操作を行った顧客の顧客端末１９０に関するデータとを視野操作データ受信部１１６から受け取ると、そのデータによって示される仮想空間における視野の変更操作に従って、顧客端末１９０のディスプレイに表示されている仮想空間の視野が変更されるよう、変更された視野で表示されるべき陳列手段の３次元グラフィックス及びその位置情報を陳列手段情報格納部１１１から読み出す。また、仮想空間生成部１１２は、変更された視野で表示されるべき商品の３次元グラフィックス及びその位置情報を商品情報格納部１２３から読み出す。そして、仮想空間生成部１１２は、陳列手段情報格納部１１１から読み出した陳列手段の３次元グラフィックスを、その３次元グラフィックスの位置情報に従って再配置し、商品情報格納部１２３から読み出した商品の３次元グラフィックスを、その３次元グラフィックスの位置情報に従って再配置することによって、仮想空間の画像をリアルタイムに再生成する（Ｓ１３２）。そして、仮想空間生成部１１２は、再生成した仮想空間の画像データと、視野の変更操作を行った顧客の顧客端末１９０に関するデータとを画像データ送信部１１３に送る。画像データ送信部１１３は、仮想空間の画像データと、顧客の顧客端末１９０に関するデータとを仮想空間生成部１１２から受け取ると、そのデータによって示される顧客端末１９０に対し、仮想空間の画像データを送信する（Ｓ１３３）。
【０１３４】
顧客端末１９０は、仮想空間における商品の３次元グラフィックスを選択する旨の操作の入力を受け付けると、その操作に関するデータを電子商店サーバ１１０に送信する（Ｓ１３４）。
【０１３５】
電子商店サーバ１１０の選択操作データ受信部１１８は、仮想空間における商品の３次元グラフィックスを選択する操作に関するデータを顧客端末１９０から受信すると、そのデータと、商品の選択操作を行った顧客の顧客端末１９０に関するデータを商品データ送信部１１９に送る。商品データ送信部１１９は、仮想空間における商品の３次元グラフィックスを選択する操作に関するデータと、商品の選択操作を行った顧客の顧客端末１９０に関するデータとを選択操作データ受信部１１８から受け取ると、そのデータによって示される選択操作された対象の商品の紹介記事の情報を含む、商品の各情報を商品情報格納部１２３から読み出す。また、商品データ送信部１１９は、顧客によって選択操作された対象の商品に関連する催事の情報が商品情報格納部１２３に格納されている場合、その催事の情報を更に含む、商品の各情報を商品情報格納部１２３から読み出す。そして、商品データ送信部１１９は、読み出した商品の各情報に関するデータを、選択操作データ受信部１１８から受け取ったデータによって示される顧客端末１９０に送信する（Ｓ１３５）。
【０１３６】
顧客端末１９０は、電子商店で販売されている商品を購入する旨の操作の入力を受け付けると、その操作に関するデータを電子商店サーバ１１０に送信する（Ｓ１３６）。
【０１３７】
電子商店サーバ１１０の購入操作データ受信部１２０は、電子商店で販売されている商品を購入する操作に関するデータを顧客端末１９０から受信すると、そのデータと、商品の購入操作を行った顧客の顧客端末１９０に関するデータを販売処理部１２１に送る。販売処理部１２１は、電子商店で販売されている商品を購入する操作に関するデータと、商品の購入操作を行った顧客の顧客端末１９０に関するデータとを購入操作データ受信部１２０から受け取ると、そのデータによって示される購入操作された対象の商品の情報を商品情報格納部１２３から読み出す。そして、販売処理部１２１は、購入操作データ受信部１１８から受け取ったデータによって示される顧客端末１９０との間で、購入操作された対象の商品の販売処理を行う（Ｓ１３７）。そして、販売処理部１２１は、販売処理した対象の商品の情報と、その商品の販売数の情報と、その商品を購入した顧客の情報とを含む、販売処理した対象の商品に関するデータを販売商品データ送信部１２２に送る。また、販売処理部１２１は、販売処理した対象の商品の販売数に関するデータを、販売数データ送信部１２６に送る。販売数データ送信部１２６は、販売処理した対象の商品の販売数に関するデータを販売処理部１２１から受け取ると、そのデータを提供者端末１７０に送信する（Ｓ１３８）。販売商品データ送信部１２２は、販売処理した対象の商品の情報と、その商品の販売数の情報と、その商品を購入した顧客の情報とを含む、販売処理した対象の商品に関するデータを販売処理部１２１から受け取ると、そのデータを商店端末１４０に送信する（Ｓ１３９）。
【０１３８】
提供者端末１７０の販売数データ受信部１７３は、商品の販売数に関するデータを電子商店サーバ１１０から受信すると、そのデータを商品データ出力部１７４に送る。商品データ出力部１７４は、電子商店で販売された商品の販売数を含む、商品の情報に関するデータを販売数データ受信部１７３から受け取ると、そのデータをディスプレイに出力する（Ｓ１４０）。
【０１３９】
商店端末１４０の販売商品データ受信部１４７は、電子商店で販売処理された対象の商品の情報と、その商品の販売数の情報と、その商品を購入した顧客の情報とを含む、電子商店で販売処理された商品に関するデータを電子商店サーバ１１０から受信すると、そのデータを販売商品データ出力部１４８に送る。また、販売商品データ受信部１４７は、電子商店サーバ１１０から受信したデータに含まれている情報のうち、電子商店で販売された対象の商品の販売数の情報を含むデータを在庫数更新部１５２に送る。販売商品データ出力部１４８は、電子商店で販売処理された対象の商品の情報と、その商品の販売数の情報と、その商品を購入した顧客の情報とを含む、電子商店で販売処理された商品に関するデータを販売商品データ受信部１４７から受け取ると、そのデータをディスプレイに出力する（Ｓ１４１）。在庫数更新部１５２は、電子商店で販売された商品の販売数の情報を含むデータを販売商品データ受信部１４７から受け取ると、商品情報格納部１４９に格納されているその商品の在庫数の情報を更新する（Ｓ１４２）。そして、在庫数更新部１５２は、更新した後の商品の在庫数に関するデータを在庫数データ送信部１５３に送る。在庫数データ送信部１５３は、商品の在庫数に関するデータを在庫数更新部１５２から受け取ると、そのデータを電子商店サーバ１１０に送信する（Ｓ１４３）。
【０１４０】
電子商店サーバ１１０の在庫数データ受信部１２４は、商店で販売している商品の在庫数に関するデータを商店端末１４０から受信すると、そのデータを在庫数更新部１２５に送る。在庫数更新部１２５は、商店で販売されている商品の在庫数に関するデータを在庫数データ受信部１２４から受け取ると、そのデータによって示される商品の在庫数と一致するよう、商品情報格納部１２３に格納されている商品の在庫数の情報を更新する（Ｓ１４４）。
【０１４１】
図１１は、電子商店サーバ１１０の陳列手段情報格納部１１１に格納されている情報の一例をテーブル形式で示す。陳列手段情報格納部１１１は、ＩＤ（ｉｄｅｎｔｉｆｉｅｒ）、パス、座標、及び複数の陳列位置Ａ、Ｂ、Ｃ、・・・を対応付けて格納している。なお、パスで示されるファイルは、この発明における「商品を陳列するために商店に配置されている陳列手段を表現した３次元グラフィックス」の一例であってよい。また、座標は、この発明における「陳列手段を表現した３次元グラフィックスが仮想空間の中で配置されるべき位置」の一例であってよい。
【０１４２】
ＩＤは、陳列手段情報格納部１１１に格納されている情報の中で各情報を一意に識別するための識別符号であってよい。パスは、陳列手段を表現した３次元グラフィックスの外部記憶装置内における所在を示す文字列であってよい。座標は、仮想空間の中で、陳列手段を表現した３次元グラフィックスの位置を示すための座標であってよい。陳列位置は、陳列手段を表現した３次元グラフィックスにおいて、商品を表現した３次元グラフィックスを配置し得る座標であってよい。
【０１４３】
図１２は、電子商店サーバ１１０の商品情報格納部１２３に格納されている情報の一例をテーブル形式で示す。商品情報格納部１２３は、ＩＤ、商品名、価格、提供者名、紹介記事、身長、イベント、在庫数、パス、及び陳列位置を対応付けて格納している。なお、紹介記事は、この発明における「情報誌に掲載された商品の紹介記事」の一例であってよい。また、身長は、この発明における「商品を着用し得る各部分の寸法の許容値の情報」の一例であってよい。また、イベントは、この発明における「商品に関連する催事の情報」の一例であってよい。また、在庫数は、この発明における「商品の在庫数の情報」の一例であってよい。また、パスで示されるファイルは、この発明における「撮影手段によって撮影された商品の画像データ」の一例であってよい。また、陳列位置は、この発明における「商店に陳列された商品の陳列位置を示す位置情報」の一例であってよい。
【０１４４】
ＩＤは、商品情報格納部１２３に格納されている情報の中で各情報を一意に識別するための識別符号であってよい。商品名は、商品の名前を示す文字列であってよい。価格は、商品の価格を示す数値であってよい。提供者は、商品の出荷元の提供者の名前を示す文字列であってよい。紹介記事は、情報誌に掲載された商品の紹介記事を示す文字列であってよい。身長は、商品を着用し得る身長の許容値を示す数値であってよい。イベントは、商品に関連する催事を示す文字列であってよい。在庫数は、商品の在庫数を示す数値であってよい。パスは、商品を表現した３次元グラフィックスの外部記憶装置内における所在を示す文字列であってよい。陳列位置は、商店において商品が陳列されている陳列手段における陳列位置を示す情報であってよい。
【０１４５】
図１３は、電子商店サーバ１１０の顧客情報格納部１３０に格納されている情報の一例をテーブル形式で示す。顧客情報格納部１３０は、ＩＤ、パスワード、氏名、身長、胸囲、及びウエストを対応付けて格納している。なお、身長、胸囲、及びウエストは、この発明における「顧客の身体の各部分の寸法の情報」の一例であってよい。
【０１４６】
ＩＤは、顧客情報格納部１３０に格納されている情報の中で各情報を一意に識別するための識別符号であってよい。パスワードは、電子商店の顧客認証で本人確認に用いる秘密の文字列であってよい。氏名は、顧客の氏名を示す文字列であってよい。身長は、顧客の身長を示す数値であってよい。胸囲は、顧客の胸囲の長さを示す数値であってよい。ウエストは、顧客のウエストの長さを示す数値であってよい。
【０１４７】
電子商店サーバ１１０の仮想空間生成部１１２は、陳列手段情報格納部１１１及び商品情報格納部１２３に格納されている上記の情報に基づいて、仮想空間の画像をリアルタイムに生成する。例えば、仮想空間生成部１１２は、ルートディレクトリにある「ｄｉｓｐｌａｙ」というフォルダの中の「Ｄ００１．ｘ」という、ＩＤ「Ｄ００１」の陳列手段を表現した３次元グラフィックスを読み出す。そして、仮想空間生成部１１２は、「Ｄ００１．ｘ」という３次元グラフィックスを、仮想空間の中における座標「（Ｘ１０，Ｙ１０，Ｚ１０）」に配置する。また、例えば、仮想空間生成部１１２は、ルートディレクトリにある「ｇｏｏｄｓ」というフォルダの中の「Ｇ００１．ｘ」という、ＩＤ「Ｇ００１」の商品を表現した３次元グラフィックスを読み出す。そして、仮想空間生成部１１２は、「Ｇ００１．ｘ」という３次元グラフィックスを、「Ｄ００１．ｘ」という３次元グラフィックスの陳列位置Ａの座標「（Ｘ１１，Ｙ１１，Ｚ１１）」に配置する。
【０１４８】
電子商店サーバ１１０の商品データ送信部１１９は、商品情報格納部１２３に格納されている上記の情報に基づいて、紹介記事データ受信部１１７が受信したデータによって示される商品の紹介記事のうち、選択操作データ受信部１１８が受信したデータによって示される選択操作された対象の商品の紹介記事の情報を含む、商品に関するデータを、顧客端末１９０に送信する。例えば、商品データ送信部１１９は、仮想空間におけるＩＤ「Ｇ００１」の商品の３次元グラフィックス「Ｇ００１．ｘ」を選択する操作に関するデータと、商品の選択操作を行った顧客の顧客端末１９０ａのＩＰアドレス「ｘｘｘ．ｘｘｘ．ｘｘｘ．ｘｘｘ」を示すデータとを操作選択データ受信部１１８から受け取ると、ＩＤ「Ｇ００１」の商品の商品名「ポロシャツ」、価格「１８６００（円）」、提供社名「Ａ社」、紹介記事「上品に・・・」、着用し得る身長の許容値「１７５〜１８５（ｃｍ）」、及びイベント「セール」の各情報を商品情報格納部１２３から読み出す。そして、商品データ送信部１１９は、読み出した商品の各情報を埋め込んだＷｅｂページを、ＩＰアドレス「ｘｘｘ．ｘｘｘ．ｘｘｘ．ｘｘｘ」の顧客端末１９０に送信する。
【０１４９】
電子商店サーバ１１０の販売処理部１２１は、商品情報格納部１２３に格納されている上記の情報に基づいて、購入操作データ受信部１２０が受信したデータによって示される購入操作された対象の商品の販売処理を行う。例えば、販売処理部１２１は、ＩＤ「Ｇ００１」の商品を購入する操作に関するデータと、商品の購入操作を行った顧客の顧客端末１９０のＩＰアドレス「ｘｘｘ．ｘｘｘ．ｘｘｘ．ｘｘｘ」を示すデータとを購入操作データ受信部１２０から受け取ると、ＩＤ「Ｇ００１」の商品の商品名「ポロシャツ」、及び価格「１８６００（円）」の各情報を商品情報格納部１２３から読み出す。そして、販売処理部１２１は、ＩＰアドレス「ｘｘｘ．ｘｘｘ．ｘｘｘ．ｘｘｘ」の顧客端末１９０との間で、ＩＤ「Ｇ００１」の商品の販売処理を行う。
【０１５０】
電子商店サーバ１１０の認証処理部１２８は、顧客情報格納部１３０に格納されている上記の情報に基づいて、電子商店にアクセスしてきた顧客に対して認証処理を行う。例えば、認証処理部１２８は、ＩＤ「Ｕ００１」、及びパスワード「ＲｖＸｇｖｐ５ｋ」がそれぞれ入力された旨を示すデータを顧客端末１９０から受信すると、その顧客端末１９０を使用している顧客が「島  勇作」であると認証する。
【０１５１】
電子商店サーバ１１０の商品特定部１２９は、商品情報格納部１２３及び顧客情報格納部１３０に格納されている上記の情報に基づいて、顧客が着用し得る商品を特定する。例えば、商品特定部１２９は、認証された顧客のＩＤ「Ｕ００１」を示すデータを認証処理部１２８から受け取ると、氏名「島  勇作」の身長「１８０（ｃｍ）」、胸囲「１０２（ｃｍ）」、及びウエスト「９０（ｃｍ）」の各情報を顧客情報格納部１３０から読み出す。そして、商品特定部１２９は、商品情報格納部１２３に格納されている各情報の中から、氏名「島  勇作」が着用し得る商品を特定する。この例の場合、「島  勇作」の身長が「１８０（ｃｍ）」であるのに対し、ＩＤ「Ｇ００１」の「ポロシャツ」を着用し得る身長の許容値が「１７５〜１８５（ｃｍ）」であることから、商品特定部１２９は、「島  勇作」が着用し得る商品として、ＩＤ「Ｇ００１」の「ポロシャツ」を特定する。
【０１５２】
図１４は、商店端末１４０の商品情報格納部１４９に格納されている情報の一例をテーブル形式で示す。商品情報格納部１４９は、商品情報格納部１４９は、ＩＤ、商品名、価格、提供者名、紹介記事、身長、イベント、及び在庫数を対応付けて格納している。なお、紹介記事は、この発明における「情報誌に掲載された商品の紹介記事」の一例であってよい。また、身長は、この発明における「商品を着用し得る各部分の寸法の許容値の情報」の一例であってよい。また、イベントは、この発明における「商品に関連する催事の情報」の一例であってよい。また、在庫数は、この発明における「商品の在庫数の情報」の一例であってよい。
【０１５３】
ＩＤは、商品情報格納部１４９に格納されている情報の中で各情報を一意に識別するための識別符号であってよい。商品名は、商品の名前を示す文字列であってよい。価格は、商品の価格を示す数値であってよい。提供者は、商品の出荷元の提供者の名前を示す文字列であってよい。紹介記事は、情報誌に掲載された商品の紹介記事を示す文字列であってよい。身長は、商品を着用し得る身長の許容値を示す数値であってよい。イベントは、商品に関連する催事を示す文字列であってよい。在庫数は、商品の在庫数を示す数値であってよい。
【０１５４】
図１５は、商店端末１４０の顧客情報格納部１５７に格納されている情報の一例をテーブル形式で示す。顧客情報格納部１３０は、ＩＤ、パスワード、氏名、身長、胸囲、及びウエストを対応付けて格納している。なお、身長、胸囲、及びウエストは、この発明における「顧客の身体の各部分の寸法の情報」の一例であってよい。
【０１５５】
ＩＤは、顧客情報格納部１５７に格納されている情報の中で各情報を一意に識別するための識別符号であってよい。パスワードは、電子商店の顧客認証で本人確認に用いる秘密の文字列であってよい。氏名は、顧客の氏名を示す文字列であってよい。身長は、顧客の身長を示す数値であってよい。胸囲は、顧客の胸囲の長さを示す数値であってよい。ウエストは、顧客のウエストの長さを示す数値であってよい。
【０１５６】
商店端末１４０の在庫数更新部１５２は、商品情報格納部１４９に格納されている商品の在庫数の情報を更新する。例えば、在庫数更新部１５２は、ＩＤ「Ｇ００１」の「ポロシャツ」の入荷数「５」を示すデータを入荷数データ入力受付部１５０から受け取ると、商品情報格納部１４９に格納されているＩＤ「Ｇ００１」の「ポロシャツ」の在庫数を「４５」から「５０」に更新する。また、例えば、在庫数更新部１５２は、商店で販売されたＩＤ「Ｇ００１」の「ポロシャツ」の販売数「５」を示すデータを販売数データ入力受付部１５１から受け取ると、商品情報格納部１４９に格納されているＩＤ「Ｇ００１」の「ポロシャツ」の在庫数を「４５」から「４０」に更新する。また、例えば、在庫数更新部１５２は、電子商店で販売されたＩＤ「Ｇ００１」の「ポロシャツ」の販売数「５」を示すデータを販売商品データ受信部１４７から受け取ると、商品情報格納部１４９に格納されているＩＤ「Ｇ００１」の「ポロシャツ」の在庫数を「４５」から「４０」に更新する。
【０１５７】
商店端末１４０のＰＯＰ広告データ生成部１４５は、商品情報格納部１４９に格納されている情報に基づいて、ＰＯＰ広告に関するデータを生成する。例えば、ＰＯＰ広告データ生成部１４５は、ＩＤ「Ｇ００１」の「ポロシャツ」の紹介記事「上品に・・・」の情報が更新されると、商品名「ポロシャツ」、価格「１８６００（円）」、提供者名「Ａ社」、紹介記事「上品に・・・」、着用し得る身長の許容値「１７５〜１８５（ｃｍ）」、及びイベント「セール」の各情報を商品情報格納部１４９から読み出す。そして、ＰＯＰ広告データ生成部１４５は、読み出した商品の各情報を含む、ＰＯＰ広告に関するデータを生成する。
【０１５８】
図１６は、紹介記事情報格納部１６５に格納されている情報の一例をテーブル形式で示す。紹介記事情報格納部１６５は、ＩＤ及び紹介記事を対応付けて格納している。なお、紹介記事は、この発明における「情報誌に掲載された商品の紹介記事」の一例であってよい。
【０１５９】
ＩＤは、紹介記事情報格納部１６５に格納されている情報の中で各情報を一意に識別するための識別符号であってよい。紹介記事は、情報誌に掲載された商品の紹介記事を示す文字列であってよい。
【０１６０】
以上説明したように、電子商店システム１００では、現実の商店の３次元空間に模した仮想空間の中で商品を販売する電子商店を提供することができる。また、電子商店システム１００では、情報誌に紹介記事が掲載された商品を、現実の商店と電子商店で販売するビジネスモデルを提供することができる。また、電子商店システム１００では、情報誌の出版者に商品の情報を提供した提供者から入荷した商品を、現実の商店と電子商店で販売するビジネスモデルを提供することができる。
【０１６１】
また、電子商店システム１００では、陳列手段を表現した３次元グラフィックスが現実の商店におけるレイアウトと同じように配置された仮想空間の電子商店を提供することができる。
【０１６２】
また、電子商店システム１００では、商店に陳列された商品を表現した３次元グラフィックスが現実の商店における陳列位置と同じように配置された仮想空間の電子商店を提供することができる。
【０１６３】
また、電子商店システム１００では、顧客端末１９０における顧客の操作に従って、顧客端末１９０のディスプレイに表示されている仮想空間の視野を変更させることができる。
【０１６４】
また、電子商店システム１００では、電子商店で販売されている商品が顧客によって選択されたときに、選択された商品が情報誌に掲載されたときの紹介記事を、顧客端末１９０のディスプレイに表示させることができる。
【０１６５】
また、電子商店システム１００では、商店に陳列される商品の販売促進のためのＰＯＰ広告について、商品が情報誌に掲載されたときの商品の紹介記事を含むＰＯＰ広告を得ることができる。
【０１６６】
また、電子商店システム１００では電子商店で販売されている商品のうち、顧客によって選択操作された商品を販売することができる。
【０１６７】
また、電子商店システム１００では、電子商店で販売された商品や、その商品を購入した顧客の情報を、商店の関係者に提示することができる。
【０１６８】
また、電子商店システム１００では、顧客によって電子商店で販売されている商品が選択されたときに、その商品が情報誌に掲載されたときの紹介記事と共に、現実の商店で企画された、その商品の種類に関連する催事の情報を顧客に提示することができる。
【０１６９】
また、電子商店システム１００では、現実の商店に商品が入荷されたり、現実の商店又は電子商店で商品が販売されたりする度に、商店端末１４０の外部記憶装置に記憶されている商品の在庫数の情報を更新することができる。
【０１７０】
また、電子商店システム１００では、現実の商店で販売されている商品の在庫数が変動すると、それに合わせて、電子商店で販売されている商品の在庫数も、現実の商店で販売されている商品の在庫数と同じになるように変動させることができる。
【０１７１】
また、電子商店システム１００では、現実の商店において販売された商品の販売数等の情報を、その商品を出荷した提供者に提供することができる。
【０１７２】
また、電子商店システム１００では、電子商店において販売された商品の販売数等の情報を、その商品を出荷した提供者に提供することができる。
【０１７３】
また、電子商店システム１００では、衣服やアクセサリー等のように、身体に合った寸法のものを着用しなければならない商品について、認証された顧客の身体の寸法に合った商品が分かるよう、商品の３次元グラフィックスを表示することができる。
【０１７４】
図１７は、電子商店サーバ１１０、商店端末１４０、出版者端末１６０、及び提供者端末１７０をコンピュータ等の電子情報処理装置でそれぞれ構成した場合のハードウェア構成の一例を示す。電子商店サーバ１１０、商店端末１４０、出版者端末１６０、及び提供者端末１７０は、ＣＰＵ（Ｃｅｎｔｒａｌ  Ｐｒｏｃｅｓｓｉｎｇ  Ｕｎｉｔ）周辺部と、入出力部と、レガシー入出力部とを備える。ＣＰＵ周辺部は、ホスト・コントローラ９０１により相互に接続されるＣＰＵ９０２、ＲＡＭ（Ｒａｎｄｏｍ  Ａｃｃｅｓｓ  Ｍｅｍｏｒｙ）９０３、グラフィック・コントローラ９０４、及び表示装置９０５を有する。入出力部は、入出力コントローラ９０６によりホスト・コントローラ９０１に接続される通信インターフェイス９０７、ハードディスクドライブ９０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０９を有する。レガシー入出力部は、入出力コントローラ９０６に接続されるＲＯＭ（Ｒｅａｄ  Ｏｎｌｙ  Ｍｅｍｏｒｙ）９１０、フレキシブルディスク・ドライブ９１１、及び入出力チップ９１２を有する。
【０１７５】
ホスト・コントローラ９０１は、ＲＡＭ９０３と、高い転送レートでＲＡＭ９０３をアクセスするＣＰＵ９０２、及びグラフィック・コントローラ９０４とを接続する。ＣＰＵ９０２は、ＲＯＭ９１０、及びＲＡＭ９０３に格納されたプログラムに基づいて動作して、各部の制御をする。グラフィック・コントローラ９０４は、ＣＰＵ９０２等がＲＡＭ９０３内に設けたフレーム・バッファ上に生成する画像データを取得して、表示装置９０５上に表示させる。これに代えて、グラフィック・コントローラ９０４は、ＣＰＵ９０２等が生成する画像データを格納するフレーム・バッファを、内部に含んでもよい。
【０１７６】
入出力コントローラ９０６は、ホスト・コントローラ９０１と、比較的高速な入出力装置であるハードディスクドライブ９０８、通信インターフェイス９０７、ＣＤ−ＲＯＭドライブ９０９を接続する。ハードディスクドライブ９０８は、ＣＰＵ９０２が使用するプログラム、及びデータを格納する。通信インターフェイス９０７は、ネットワーク通信装置９９１に接続してプログラム又はデータを送受信する。ＣＤ−ＲＯＭドライブ９０９は、ＣＤ−ＲＯＭ９９２からプログラム又はデータを読み取り、ＲＡＭ９０３を介してハードディスクドライブ９０８、及び通信インターフェイス９０７に提供する。
【０１７７】
入出力コントローラ９０６には、ＲＯＭ９１０と、フレキシブルディスク・ドライブ９１１、及び入出力チップ９１２の比較的低速な入出力装置とが接続される。ＲＯＭ９１０は、電子商店サーバ１１０、商店端末１４０、出版者端末１６０、及び提供者端末１７０が起動時に実行するブート・プログラム、あるいは電子商店サーバ１１０、商店端末１４０、出版者端末１６０、及び提供者端末１７０のハードウェアに依存するプログラム等を格納する。フレキシブルディスク・ドライブ９１１は、フレキシブルディスク９９３からプログラム又はデータを読み取り、ＲＡＭ９０３を介してハードディスクドライブ９０８、及び通信インターフェイス９０７に提供する。入出力チップ９１２は、フレキシブルディスク・ドライブ９１１、あるいはパラレル・ポート、シリアル・ポート、キーボード・ポート、マウス・ポート等を介して各種の入出力装置を接続する。
【０１７８】
ＣＰＵ９０２が実行するプログラムは、フレキシブルディスク９９３、ＣＤ−ＲＯＭ９９２、又はＩＣ（Ｉｎｔｅｇｒａｔｅｄ  Ｃｉｒｃｕｉｔ）カード等の記録媒体に格納されて利用者によって提供される。記録媒体に格納されたプログラムは圧縮されていても非圧縮であってもよい。プログラムは、記録媒体からハードディスクドライブ９０８にインストールされ、ＲＡＭ９０３に読み出されてＣＰＵ９０２により実行される。ＣＰＵ９０２により実行されるプログラムは、電子商店サーバ１１０を、図１から図１６に関連して説明した陳列手段情報格納部１１１、仮想空間生成部１１２、画像データ送信部１１３、商品データ受信部１１４、商品グラフィックス生成部１１５、視野操作データ受信部１１６、紹介記事データ受信部１１７、選択操作データ受信部１１８、商品データ送信部１１９、購入操作データ受信部１２０、販売処理部１２１、販売商品データ送信部１２２、商品情報格納部１２３、在庫数データ受信部１２４、在庫数更新部１２５、販売数データ送信部１２６、顧客データ受信部１２７、認証処理部１２８、商品特定部１２９、及び顧客情報格納部１３０として機能させ、商店端末１４０を、図１から図１６に関連して説明した商品データ入力受付部１４１、画像データ入力受付部１４２、商品データ送信部１４３、紹介記事データ受信部１４４、ＰＯＰ広告データ生成部１４５、ＰＯＰ広告データ出力部１４６、販売商品データ受信部１４７、販売商品データ出力部１４８、商品情報格納部１４９、入荷数データ入力受付部１５０、販売数データ入力受付部１５１、在庫数更新部１５２、在庫数データ送信部１５３、販売数データ送信部１５４、顧客データ入力受付部１５５、顧客データ送信部１５６、及び顧客情報格納部１５７として機能させ、出版者端末１６０を、図１から図１６に関連して説明した商品情報データ受信部１６１、商品情報データ出力部１６２、紹介記事データ入力受付部１６３、紹介記事データ送信部１６４、及び紹介記事情報格納部１６５として機能させ、提供者端末１７０を、図１から図１６に関連して説明した商品情報データ入力受付部１７１、商品情報データ送信部１７２、販売数データ受信部１７３、及び商品データ出力部１７４として機能させる。
【０１７９】
以上に示したプログラムは、外部の記憶媒体に格納されてもよい。記憶媒体としては、フレキシブルディスク９９３、ＣＤ−ＲＯＭ９９２の他に、ＤＶＤ（Ｄｉｇｉｔａｌ  Ｖｅｒｓａｔｉｌｅ  Ｄｉｓｋ）又はＰＤ（Ｐｈａｓｅ  Ｄｉｓｋ）等の光学記録媒体、ＭＤ（ＭｉｎｉＤｉｓｋ）等の光磁気記録媒体、テープ媒体、ＩＣカード等の半導体メモリ等を用いることができる。また、専用通信ネットワークあるいはインターネットに接続されたサーバシステムに設けたハードディスク又はＲＡＭ等の記憶媒体を記録媒体として使用して、ネットワークを介したプログラムとして電子商店システム１００を提供してもよい。
【０１８０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【０１８１】
１００  電子商店システム
１１０  電子商店サーバ
１１１  陳列手段情報格納部
１１２  仮想空間生成部
１１３  画像データ送信部
１１４  商品データ受信部
１１５  商品グラフィックス生成部
１１６  視野操作データ受信部
１１７  紹介記事データ受信部
１１８  選択操作データ受信部
１１９  商品データ送信部
１２０  購入操作データ受信部
１２１  販売処理部
１２２  販売商品データ送信部
１２３  商品情報格納部
１２４  在庫数データ受信部
１２５  在庫数更新部
１２６  販売数データ送信部
１２７  顧客データ受信部
１２８  認証処理部
１２９  商品特定部
１３０  顧客情報格納部
１４０  商店端末
１４１  商品データ入力受付部
１４２  画像データ入力受付部
１４３  商品データ送信部
１４４  紹介記事データ受信部
１４５  ＰＯＰ広告データ生成部
１４６  ＰＯＰ広告データ出力部
１４９  商品情報格納部
１５０  入荷数データ入力受付部
１５１  販売数データ入力受付部
１５２  在庫数更新部
１５３  在庫数データ送信部
１５４  販売数データ送信部
１５５  顧客データ入力受付部
１５６  顧客データ送信部
１５７  顧客情報格納部
１６０  出版者端末
１６１  商品情報データ受信部
１６２  商品情報データ出力部
１６３  紹介記事データ入力受付部
１６４  紹介記事データ送信部
１６５  紹介記事情報格納部
１７０  提供者端末
１７１  商品情報データ入力受付部
１７２  商品情報データ送信部
１７３  販売数データ受信部
１７４  商品データ出力部
１９０  顧客端末
２１０  通信回線
９０１  ホスト・コントローラ
９０２  ＣＰＵ
９０３  ＲＡＭ
９０４  グラフィック・コントローラ
９０５  表示装置
９０６  入出力コントローラ
９０７  通信インターフェイス
９０８  ハードディスクドライブ
９０９  ＣＤ−ＲＯＭドライブ
９１０  ＲＯＭ
９１１  フレキシブルディスク・ドライブ
９１２  入出力チップ
９９１  ネットワーク通信装置
９９２  ＣＤ−ＲＯＭ
９９３  フレキシブルディスク
【図１】
2014139842.tif 000003
【図２】
2014139842.tif 000004
【図３】
2014139842.tif 000005
【図４】
2014139842.tif 000006
【図５】
2014139842.tif 000007
【図６】
2014139842.tif 000008
【図７】
2014139842.tif 000009
【図８】
2014139842.tif 000010
【図９】
2014139842.tif 000011
【図１０】
2014139842.tif 000012
【図１１】
2014139842.tif 000013
【図１２】
2014139842.tif 000014
【図１３】
2014139842.tif 000015
【図１４】
2014139842.tif 000016
【図１５】
2014139842.tif 000017
【図１６】
2014139842.tif 000018
【図１７】
2014139842.tif 000019